(57)【要約】  進化型ネットワークの一時識別子を使用して旧式ネットワークにアクセスする方法は、ＵＥが進化型ネットワークの一時識別子を使用して旧式ネットワークにアクセスするとき旧式ネットワークに送られるアクセスメッセージにＭＭＥ情報が追加され、ＭＭＥ情報を使用して進化型ネットワークにおいてＵＥによってアクセスされたＭＭＥが一意に識別され、旧式ネットワークはアクセスメッセージに従ってＵＥのために対応するＳＧＳＮを選択することを含む。旧式ネットワークに送られるアクセスメッセージにＭＭＥを一意に識別することのできるＭＭＥ情報を追加することによって、旧式ネットワークは旧式ネットワークのＲＮＣおよびＳＧＳＮを変更せずに受信アクセスメッセージに従って進化型ネットワーク内でＵＥによってアクセスされたＭＭＥを確認し探し出すことができる。旧式ネットワークの一時識別子を使用して進化型ネットワークにアクセスする方法は無条件に適切な元のＳＧＳＮ／ＭＭＥノードにアクセスしノードの不要な移動を防ぐことができる。
2010537523.tif 000002
【特許請求の範囲】
【請求項１】
進化型ネットワークの一時ＩＤによって旧式ネットワークにアクセスする方法であって、
ＵＥ（Ｕｓｅｒ  Ｅｑｕｉｐｍｅｎｔ、ユーザ側装置）が、アクセスメッセージに、進化型ネットワーク上で前記ＵＥによってアクセスされたＭＭＥ（Ｍｏｂｉｌｉｔｙ  Ｍａｎａｇｅｍｅｎｔ  Ｅｎｔｉｔｙ、モビリティ管理エンティティ）を一意に識別するＭＭＥ情報を追加し、
前記ＵＥが前記進化型ネットワークの一時ＩＤによって旧式ネットワークにアクセスするときに、前記旧式ネットワークに前記アクセスメッセージを送り、
前記旧式ネットワークが、前記アクセスメッセージに従って前記ＵＥのために対応するＳＧＳＮ（Ｓｅｒｖｉｎｇ  ＧＰＲＳ  Ｓｕｐｐｏｒｔ  Ｎｏｄｅ、サービングＧＰＲＳサポートノード）を選択する、
ことを含む方法。
【請求項２】
前記旧式ネットワークが対応するＳＧＳＮ（Ｓｅｒｖｉｎｇ  ＧＰＲＳ  Ｓｕｐｐｏｒｔ  Ｎｏｄｅ）を選択した後に、
前記ＳＧＳＮが前記ＵＥによって登録されたノードでない場合、前記ＳＧＳＮが、前記アクセスメッセージに追加された前記ＭＭＥ情報に従って前記ＭＭＥを決定し、
前記ＭＭＥに前記ＵＥの情報を要求する、
ことをさらに含む請求項１に記載の方法。
【請求項３】
前記ＭＭＥ情報はＳＡＥ−ＴＭＳＩ内のＭＭＥＩＤを含み、
前記ＵＥが旧式ネットワークに送られるアクセスメッセージにＭＭＥ情報を追加することは、前記ＭＭＥＩＤを、前記アクセスメッセージのＰ−ＴＭＳＩ情報および前記アクセスメッセージのＲＡＩ情報のうちの少なくとも一つに追加することを含む請求項１に記載の方法。
【請求項４】
前記ＭＭＥＩＤをアクセスメッセージのＰ−ＴＭＳＩ情報に追加することは、前記アクセスメッセージで搬送される前記Ｐ−ＴＭＳＩ情報内のＮＲＩ情報を前記ＭＭＥＩＤとして設定することを含む請求項３に記載の方法。
【請求項５】
前記ＭＭＥ情報は、プールＩＤおよびＳＡＥ−ＴＭＳＩ内のＭＭＥＩＤを含み、
前記ＵＥが、旧式ネットワークに送られるアクセスメッセージに、ＭＭＥ（Ｍｏｂｉｌｉｔｙ  Ｍａｎａｇｅｍｅｎｔ  Ｅｎｔｉｔｙ）を一意に識別するＭＭＥ情報を追加することは、前記ＭＭＥＩＤおよび前記プールＩＤを、前記アクセスメッセージのＰ−ＴＭＳＩ情報および前記アクセスメッセージのＲＡＩ情報のうちの少なくとも一つに追加することを含む請求項１に記載の方法。
【請求項６】
前記ＭＭＥＩＤおよび前記プールＩＤを、前記アクセスメッセージ内のＰ−ＴＭＳＩ情報および前記アクセスメッセージ内のＲＡＩ情報のうちの少なくとも一つに追加することは、
前記アクセスメッセージ内の前記Ｐ−ＴＭＳＩ情報のＮＲＩ情報を前記ＭＭＥＩＤとして設定し、
前記プールＩＤを、前記ＲＡＩ情報および前記Ｐ−ＴＭＳＩ情報のうちの少なくとも一つに追加する、
ことを含む請求項５に記載の方法。
【請求項７】
前記ＭＭＥ情報は、ＰＬＭＮＩＤ、プールＩＤおよびＳＡＥ−ＴＭＳＩ内のＭＭＥＩＤを含み、
前記ＵＥが、旧式ネットワークに送られるアクセスメッセージに、進化型ネットワーク上で前記ＵＥによってアクセスされたＭＭＥ（Ｍｏｂｉｌｉｔｙ  Ｍａｎａｇｅｍｅｎｔ  Ｅｎｔｉｔｙ）を一意に識別するＭＭＥ情報を追加することは、Ｐ−ＴＭＳＩ情報およびＲＡＩ情報のうちの少なくとも一つに、ＰＬＭＮＩＤ、プールＩＤおよびＭＭＥＩＤを追加することを含む請求項１に記載の方法。
【請求項８】
前記Ｐ−ＴＭＳＩ情報およびＲＡＩ情報のうちの少なくとも一つに、ＰＬＭＮＩＤ、プールＩＤおよびＭＭＥＩＤを追加することは、
前記Ｐ−ＴＭＳＩ情報のＮＲＩ情報をＭＭＥＩＤとして設定し、
前記ＰＬＭＮＩＤを前記ＲＡＩ情報に追加し、
前記プールＩＤを前記ＲＡＩ情報および前記Ｐ−ＴＭＳＩ情報のうちの少なくとも一つに追加する、
ことを含む請求項７に記載の方法。
【請求項９】
組み合わせＭＭＥ／ＳＧＳＮのＮＲＩ情報を前記ＭＭＥＩＤと同じに設定し、
前記ＵＥが前記旧式ネットワークと同じプール内の前記進化型ネットワークから前記旧式ネットワークに入るときに、前記旧式ネットワークが前記ＵＥのために前記組み合わせＭＭＥ／ＳＧＳＮを選択する、
ことをさらに含む請求項４、６または８に記載の方法。
【請求項１０】
前記進化型ネットワークが、前記ＵＥのために、ＭＭＥＩＤがＰ−ＴＭＳＩのＮＲＩ値である前記ＭＭＥを優先的に選択することをさらに含む請求項１に記載の方法。
【請求項１１】
ＳＡＥ−ＴＭＳＩのＭＭＥ情報以外の該ＳＡＥ−ＴＭＳＩの情報をＰ−ＴＭＳＩのシグネチャに追加することをさらに含む請求項１〜８のいずれか１項に記載の方法。
【請求項１２】
前記ＳＧＳＮが、前記ＭＭＥ情報に従って前記ＭＭＥを決定することは、
前記ＳＧＳＮの構成情報またはＤＮＳを更新し、
前記ＳＧＳＮが、前記ＭＭＥ情報に従って、前記構成情報または前記ＤＮＳにおいて前記ＭＭＥを探し出す、
ことを含む請求項２に記載の方法。
【請求項１３】
前記アクセスメッセージは無線リソース制御メッセージ（ＲＲＣメッセージ）を含み、
前記ＭＭＥ情報はＭＭＥＩＤを含み、
前記ＵＥ（Ｕｓｅｒ  Ｅｑｕｉｐｍｅｎｔ）が、旧式ネットワークに送られるアクセスメッセージに、進化型ネットワーク上で前記ＵＥによってアクセスされたＭＭＥ（Ｍｏｂｉｌｉｔｙ  Ｍａｎａｇｅｍｅｎｔ  Ｅｎｔｉｔｙ）を一意に識別するＭＭＥ（Ｍｏｂｉｌｉｔｙ  Ｍａｎａｇｅｍｅｎｔ  Ｅｎｔｉｔｙ）情報を追加することは、
前記ＭＭＥＩＤを、ＲＲＣメッセージで搬送されるＰ−ＴＭＳＩ情報内のＮＲＩ情報に追加することを含む請求項１に記載の方法。
【請求項１４】
前記ＭＭＥ情報を、前記ＲＲＣメッセージ内のＮＡＳ情報の前記Ｐ−ＴＭＳＩおよびＲＡＩのうちの少なくとも一つに追加し、
前記ＭＭＥ情報以外のＳＡＥ−ＴＭＳＩの情報を、前記ＮＡＳ情報の前記Ｐ−ＴＭＳＩ、前記ＲＡＩまたはＰ−ＴＭＳＩシグネチャにマップする、
ことをさらに含む請求項１３に記載の方法。
【請求項１５】
アクセスメッセージ送信モジュールとＭＭＥ情報追加モジュールとを備えるＵＥ（Ｕｓｅｒ  Ｅｑｕｉｐｍｅｎｔ）であって、
前記アクセスメッセージ送信モジュールは、前記ＵＥが進化型ネットワークにアクセスするときに、旧式ネットワークにアクセスメッセージを送るように適合されており、
前記ＭＭＥ情報追加モジュールは、前記アクセスメッセージ送信モジュールによって送られる前記アクセスメッセージにＭＭＥ情報を追加するように適合されており、
前記ＭＭＥ情報は、前記進化型ネットワークにおいて前記ＵＥによってアクセスされたＭＭＥを識別するのに使用される、
ＵＥ。
【請求項１６】
前記ＭＭＥ情報追加モジュールは、前記アクセスメッセージのＰ−ＴＭＳＩ情報に、ＳＡＥ−ＴＭＳＩ内のＭＭＥＩＤを追加するように適合されたＰ−ＴＭＳＩ情報追加サブモジュールを備える請求項１５に記載のＵＥ。
【請求項１７】
前記ＭＭＥ情報追加モジュールは、ＳＡＥ−ＴＭＳＩ内のプールＩＤ、ＰＬＭＮＩＤまたはＴＡＩを追加するように適合されたＲＡＩ情報追加サブモジュールを備える請求項１５に記載のＵＥ。
【請求項１８】
前記ＭＭＥ情報追加モジュールは、前記アクセスメッセージのＰ−ＴＭＳＩ情報内のＮＲＩ情報をＭＭＥＩＤとして設定するように適合されたＮＲＩ設定サブモジュールをさらに備える請求項１５〜１７のいずれか１項に記載のＵＥ。
【請求項１９】
前記ＭＭＥ情報を除くＳＡＥ−ＴＭＳＩ内の他の情報をＰ−ＴＭＳＩシグネチャに追加するように適合されたＰ−ＴＭＳＩシグネチャ追加モジュールをさらに備える請求項１５〜１７のいずれか１項に記載のＵＥ。
【請求項２０】
ＭＭＥＩＤがＮＲＩに対応するＭＭＥを優先的に選択するように適合されている進化型ネットワークのＲＡＮ（ｒａｄｉｏ  ａｃｃｅｓｓ  ｎｅｔｗｏｒｋ、無線アクセスネットワーク）。
【請求項２１】
ＵＥが旧式ネットワークにアクセスすることを可能にする方法であって、
前記旧式ネットワークが、進化型ネットワークの一時ＩＤによって前記旧式ネットワークにアクセスするＵＥによって送られた、前記進化型ネットワークにおいて前記ＵＥによってアクセスされたＭＭＥ（Ｍｏｂｉｌｉｔｙ  Ｍａｎａｇｅｍｅｎｔ  Ｅｎｔｉｔｙ）を一意に識別するＭＭＥ情報を含むアクセスメッセージを受け取り、
前記旧式ネットワークが、前記アクセスメッセージに従って前記ＵＥのために対応するＳＧＳＮを選択する、
ことを含む方法。
【請求項２２】
前記ＭＭＥ情報は、プールＩＤ、ＰＬＭＮＩＤのＭＭＥＩＤおよびＳ−ＴＭＳＩを含み、
前記ＰＬＭＮＩＤ、前記プールＩＤ、および前記ＭＭＥＩＤは、Ｐ−ＴＭＳＩ情報およびＲＡＩ情報のうちの少なくとも一つに含まれる請求項２１に記載の方法。
【発明の詳細な説明】
【技術分野】
【０００１】
本発明は、移動通信技術に関し、詳細には、進化型ネットワークの一時ＩＤによって旧式ネットワークにアクセスする方法および装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）とは、第３世代パートナーシッププロジェクト（３ＧＰＰ）によって定義された３Ｇ無線通信網規格である。ＵＭＴＳネットワークは、ＣＮ（Ｃｏｒｅ  Ｎｅｔｗｏｒｋ、コアネットワーク）とＡＮ（Ａｃｃｅｓｓ  Ｎｅｔｗｏｒｋ、アクセスネットワーク）からなる。ＣＮは、ＣＳ（Ｃｉｒｃｕｉｔ  Ｓｗｉｔｃｈｅｄ、回線交換）ドメインと、ＰＳ（Ｐａｃｋｅｔ  Ｓｗｉｔｃｈｅｄ、パケット交換）ドメインからなる。ＣＳドメインは、音声サービスといったＣＳベースのサービスを提供する。ＰＳドメインは、インターネットアクセスといったＰＳベースのサービスを提供する。移動加入者によって使用される端末がＵＥ（Ｕｓｅｒ  Ｅｑｕｉｐｍｅｎｔ、ユーザ側装置）である。
【０００３】
図１に、従来技術におけるＵＭＴＳネットワークの構造を示す。ＣＮはＰＳドメインとＣＳドメインからなる。ＣＮ内のＰＳドメインは、ＳＧＳＮ（Ｓｅｒｖｉｎｇ  ＧＰＲＳ  Ｓｕｐｐｏｒｔ  Ｎｏｄｅ、サービングＧＰＲＳサポートノード）、ＧＧＳＮ（Ｇａｔｅｗａｙ  ＧＰＲＳ  Ｓｕｐｐｏｒｔ  Ｎｏｄｅ、ゲートウェイＧＰＲＳサポートノード）、およびＨＬＲ（Ｈｏｍｅ  Ｌｏｃａｔｉｏｎ  Ｒｅｇｉｓｔｅｒ、ホーム・ロケーション・レジスタ）からなる。ＣＮ上のＣＳドメインは、ＭＳＣ（Ｍｏｂｉｌｅ  Ｓｗｉｔｃｈｉｎｇ  Ｃｅｎｔｅｒ、移動交換局）、ＶＬＲ（Ｖｉｓｉｔｏｒ  Ｌｏｃａｔｉｏｎ  Ｒｅｇｉｓｔｅｒ、ビジタ・ロケーション・レジスタ）、およびＧＭＳＣ（Ｇａｔｅｗａｙ  Ｍｏｂｉｌｅ  Ｓｗｉｔｃｈｉｎｇ  Ｃｅｎｔｅｒ、ゲートウェイ移動交換局）からなる。ＡＮは、ＲＮＣ（Ｒａｄｉｏ  Ｎｅｔｗｏｒｋ  Ｃｏｎｔｒｏｌｌｅｒ、無線ネットワーク制御装置）およびＮｏｄｅＢ（ノードＢ）からなる。各ＲＮＣはいくつかのＮｏｄｅＢに接続されている。各ＳＧＳＮはいくつかのＲＮＣに接続されている。ＩｕインターフェースがＡＮとＣＮの間の基本インターフェースである。無線リソースの管理および制御はＩｕインターフェースによってＡＮ上に分離されており、よってＣＮはサービス提供だけに集中する。
【０００４】
Ｒ９９システムといった従来のネットワーク上では、１つのＲＮＣがただ１つのＣＮノードに接続されている。例えば、１つのＲＮＣがただ１つのＳＧＳＮに接続されている。よって、単一点障害といった問題が存在する。ＳＧＳＮがダウンした場合、このＳＧＳＮのサービスエリア内のＵＥはネットワークにアクセスすることができず、よって、通信を行うことができない。前述の欠陥を是正するために、ｆｌｅｘという概念が導入される。図２に、従来技術におけるプールエリアの構成を示す。Ｉｕインターフェース上でＡＮ機器とＣＮ機器の間に多対多の関係が存在するとき、このＩｕインターフェースをＩｕ−ｆｌｅｘと呼ぶ。図２では、１つのＲＮＣが複数のＳＧＳＮに接続されており、１つのＳＧＳＮが複数のＲＮＣに接続されている。これらのＳＧＳＮはプールを形成している。プールにおいては、複数のＳＧＳＮなどのＣＮノードが、このプール内のすべての（ＲＮＣなどの）ＲＡＮ（Ｒａｄｉｏ  Ａｃｃｅｓｓ  Ｎｅｔｗｏｒｋ、無線アクセスネットワーク）ノードに接続されており、１つのＡＮノードがただ１つのＣＮノードに接続されている従来の方式とは異なっている。ＵＥが最初にプールに入るとき、ＲＡＮノードは、負荷分割原則に従って１つのＣＮノードを選択することができる。よって、ＵＥがプール内で移動し、またはネットワークにアクセスするとき、ＵＥは常に選択されたＣＮノードのところに固定されている。したがって、ＵＥはプール内でＣＮノードを変更する必要がないため、単一点障害およびＣＮノードの頻繁な移転を防ぐことができる。
【０００５】
従来技術では、ネットワークは、ＵＥがそのネットワークに接続した後、このＵＥに、ＴＭＳＩ（Ｔｅｍｐｏｒａｒｙ  Ｍｏｂｉｌｅ  Ｓｔａｔｉｏｎ  Ｉｄｅｎｔｉｔｙ、一時移動局識別情報、ＣＳドメイン内のＭＳＣによって割り振られる）、またはＰ−ＴＭＳＩ（ＰＳドメイン内のＳＧＳＮによって割り振られる）を割り振る。
【０００６】
図３に、従来技術におけるＴＭＳＩ／Ｐ−ＴＭＳＩ設計を有するネットワークを示す。このネットワークは、重なり合う部分を有する４つのプールを含む。各プールは５つのＣＮ機器を含み、これらの機器は、異なるＮＲＩ（Ｎｅｔｗｏｒｋ  Ｒｅｓｏｕｒｃｅ  Ｉｄｅｎｔｉｆｉｅｒ、ネットワークリソース識別子）を用いて区別される。ＮＮＳＦ（Ｎｏｎ  Ａｃｃｅｓｓ  Ｓｔｒａｔｕｍ  Ｎｏｄｅ  Ｓｅｌｅｃｔｉｏｎ  Ｆｕｎｃｔｉｏｎ、ＮＡＳ（非アクセス層）ノード選択機能）およびページングエリア内のＵＥのＴＭＳＩの一意性は影響を受けず、そのため、非隣接プールでは重複したＮＲＩを使用することができる。各ＣＮ機器は最大１，０００，０００件の加入者を接続することができ、他方、重なり合うプールエリアは１２，０００，０００件の加入者を有し、他のエリアにはわずかな加入者しかいないものと仮定する。
【０００７】
前述のネットワーク上では、２０台のＣＮ機器で十分に１２，０００，０００件の加入者を接続することができる。ＮＲＩは５ビット（２5＝３２、２０台のＣＮ機器を識別するのに使用することができる）に設定され得る。独立に割り振られる各機器のＩＤには２１ビット（２20＝１００００００、２，０００，０００件の加入者を識別するのに使用することができる）が割り振られ、２ビットがＰＳドメインをＣＳドメインと区別するのに使用され、残りの４（３２−５−２１−２＝４）ビットが再始動に使用される。
【０００８】
図４に、従来技術におけるＳＡＥネットワーク上のｆｌｅｘの構造を示す。このｆｌｅｘはＳＡＥネットワーク上で設計されている。１つのプール内で、ＭＭＥ（Ｍｏｂｉｌｉｔｙ  Ｍａｎａｇｅｍｅｎｔ  Ｅｎｔｉｔｙ、モビリティ管理エンティティ）などの複数のＣＮノードが、ＥＮＢ（ｅＮｏｄｅＢ、ｅノードＢ）などのすべてのＲＡＮノードに接続されており、これは従来技術の方法と同様である。ＵＥが最初にプールに入るとき、ＲＡＮノードは、負荷分割原則に従って１つのＣＮノードを選択することができる。よって、ＵＥがこのプール内で移動し、またはネットワークにアクセスするとき、ＵＥは常に選択されたＣＮノードのところに固定されている。また、ＳＡＥネットワーク上では、各プールが重なり合う場合もある。加えて、ＳＡＥネットワークは、ＭＭＥプールまたはＳ−ＧＷプールが完全なＴＡ（Ｔｒａｃｋｉｎｇ  Ａｒｅａ、トラッキングエリア、ＵＭＴＳネットワーク上のＬＡ（Ｌｏｃａｔｉｏｎ  Ａｒｅａ、ロケーションエリア）またはＲＡ（Ｒｏｕｔｉｎｇ  Ａｒｅａ、ルーティングエリア）と同様のものである）を含むものと規定している。
【０００９】
ＵＥには１つのＴＡが１回割り振られるものと仮定する。ＵＥが最初にＭＭＥプール１（以下ＭＰ１という）に入るとき、例えば、ＵＥがＥＮＢ１などに入るとき、ＵＥはＭＰ１から１つのＭＭＥを選択する。ＵＥがＥＮＢ１からＥＮＢ２に、次いで、ＥＮＢ３に移動するとき、ＵＥはＭＭＥを変更する必要がない。ＵＥが、元のＭＭＥに接続されておらず、ＭＰ２だけに属するＥＮＢ４に移動するとき、ＵＥはＭＰ２内のＭＭＥを選択し直す必要がある。図４で、ＥＮＢ２とＥＮＢ３は２つのＭＭＥプールに属している。すなわち、ＥＮＢ２とＥＮＢ３は、２つのＭＭＥプール内のすべてのＭＭＥに接続されている。したがって、ＥＮＢ２とＥＮＢ３は、ＭＰ１とＭＰ２の重なり合う部分である。重なり合うことの利点は以下のとおりである。すなわち、ＥＮＢ３はＭＰ２に接続されているため、ＵＥがＥＮＢ４からＥＮＢ３に戻るとき、ＵＥは、ＥＮＢ１に戻るまでＭＭＥを選択し直す必要がなく、よって、頻繁なＭＭＥ再配置が回避される。ＥＮＢ３がＭＰ２に接続されていない場合、ＵＥはＥＮＢ３とＥＮＢ４の間を移動し、その結果、頻繁なＭＭＥ再配置が生じる。
【００１０】
ＴＡ概念に関しては、ＳＡＥネットワーク上では、１台のＵＥに複数のＴＡを割り振ることができ、これは、１台のＵＥに１つのＬＡまたはＲＡしか割り振ることのできないＵＭＴＳネットワークにおけるやり方と異なることに留意すべきである。図４で、ＵＥがあるプールにおいて登録されており、ＴＡリストがＴＡ１およびＴＡ２を含む場合、ＵＥは、ＥＮＢ１とＥＮＢ２の間を移動するときに、更新を開始する必要がない。すなわち、ＵＥは、割り振られたＴＡリスト内で移動するときに、更新を開始する必要がない。
【００１１】
目下のところ、ＳＡＥに関するＴＭＳＩの問題は以下のとおりである。すなわち、ＳＡＥは複数のＲＡＴ（Ｒａｄｉｏ  Ａｃｃｅｓｓ  Ｔｅｃｈｎｏｌｏｇｙ、無線アクセス技術）をサポートする必要があり、したがって、数種類の端末がこのネットワークにアクセスする点、および、システム容量を保持するためには、ＳＡＥ−ＴＭＳＩ（すなわちＳＡＥ  ＴＭＳＩ）は、より多くの加入者をサポートし、容量を拡張し、ネットワークを簡素化するように拡張される必要がある点である。
【発明の概要】
【発明が解決しようとする課題】
【００１２】
本発明を実施するとき、発明者は、従来技術において少なくとも以下の問題を見出した。ＵＥがＳＡＥネットワークから旧式ネットワークに移動するとき、旧式ネットワークはＳＡＥ−ＴＭＳＩを識別することができず、したがって、新しく選択されたＳＧＳＮはＳＡＥネットワーク上の旧ＭＭＥを探し出すことができない。その結果、新しいＳＧＳＮはＵＥのコンテキストを獲得することができない。
【課題を解決するための手段】
【００１３】
本発明の各実施形態は、新しく選択されるＳＧＳＮが、ＳＡＥネットワーク上の旧ＭＭＥを探し出すことができないために、ＵＥのコンテキストを獲得することができないという従来技術の技術的欠陥を是正するために、進化型ネットワークの一時ＩＤによって旧式ネットワークにアクセスする方法および装置を提供する。
【００１４】
本発明の一実施形態は、進化型ネットワークの一時ＩＤによって旧式ネットワークにアクセスする方法を提供する。この方法は、
ＵＥが、アクセスメッセージに、進化型ネットワーク上でＵＥによってアクセスされたＭＭＥを一意に識別するＭＭＥ情報を追加し、
ＵＥが進化型ネットワークの一時ＩＤによって旧式ネットワークにアクセスするときに、旧式ネットワークにアクセスメッセージを送り、
旧式ネットワークが、アクセスメッセージに従ってＵＥのために対応するＳＧＳＮを選択する、
ことを含む。
【００１５】
本発明の一実施形態は、さらに、アクセスメッセージ送信モジュールとＭＭＥ情報追加モジュールとを含むＵＥを提供する。
【００１６】
アクセスメッセージ送信モジュールは、ＵＥが進化型ネットワークの一時ユーザＩＤによって旧式ネットワークにアクセスするときに、旧式ネットワークにアクセスメッセージを送るように適合されている。
【００１７】
ＭＭＥ情報追加モジュールは、アクセスメッセージ送信モジュールによって送られるアクセスメッセージに、進化型ネットワーク内でＵＥによってアクセスされたＭＭＥを識別するＭＭＥ情報を追加するように適合されている。
【００１８】
本発明の一実施形態は、さらに、進化型ネットワークの一時ＩＤによって旧式ネットワークにアクセスする方法を提供する。この方法は、
旧式ネットワークが、進化型ネットワークの一時ＩＤによって旧式ネットワークにアクセスするＵＥによって送られた、進化型ネットワーク内でＵＥによってアクセスされたＭＭＥを一意に識別するＭＭＥ情報を含むアクセスメッセージを受け取り、
旧式ネットワークが、アクセスメッセージに従ってＵＥのために対応するＳＧＳＮを選択する、
ことを含む。
【発明の効果】
【００１９】
本発明の各実施形態における技術的解決法には以下の利点がある。すなわち、ＵＥが進化型ネットワークから旧式ネットワークに移動するとき、旧式ネットワークに送られるアクセスメッセージにＭＭＥを一意に識別するＭＭＥ情報が追加される。したがって、旧式ネットワークは、旧式ネットワーク上のＲＮＣおよびＳＧＳＮを変更せずに、進化型ネットワーク内でＵＥによってアクセスされるＭＭＥを決定し、探索することができる。
【図面の簡単な説明】
【００２０】
【図１】従来技術におけるＵＭＴＳネットワークの構造を示す図である。
【図２】従来技術におけるプールエリアの構成を示す図である。
【図３】従来技術におけるＴＭＳＩ／Ｐ−ＴＭＳＩを有するネットワークを示す図である。
【図４】従来技術におけるＳＡＥネットワーク上のｆｌｅｘの構造を示す図である。
【図５】従来技術におけるＴＭＳＩ／Ｐ−ＴＭＳＩの構造を示す図である。
【図６Ａ】従来技術において２Ｇ／３Ｇネットワークにアクセスする場合の流れ図である。
【図６Ｂ】従来技術において２Ｇ／３Ｇネットワークにアクセスする場合の流れ図である。
【図７】本発明の第１の実施形態において進化型ネットワークの一時ＩＤによって旧式ネットワークにアクセスする方法を示す流れ図である。
【図８】本発明の一実施形態において、どのようにして組み合わせＭＭＥ／ＳＧＳＮを選択すべきかを示す図である。
【図９】本発明の一実施形態において、どのようにしてＲＡＵ（Ｒｏｕｔｉｎｇ  Ａｒｅａ  Ｕｐｄａｔｅ、ルーティングエリア更新）情報およびＰ−ＴＭＳＩ情報にプールＩＤおよびＭＭＥＩＤを追加すべきかを示す図である。
【図１０】本発明の一実施形態において、どのようにしてＲＡＵ情報およびＰ−ＴＭＳＩ情報に、ＴＡＩ、プールＩＤ、およびＭＭＥＩＤを追加すべきかを示す図である。
【図１１】本発明の一実施形態において、どのようにしてＲＲＣ（Ｒａｄｉｏ  Ｒｅｓｏｕｒｃｅ  Ｃｏｎｔｒｏｌ、無線リソース制御）メッセージを使用すべきかを示す図である。
【図１２】本発明の一実施形態において、どのようにしてＰ−ＴＭＳＩシグネチャを使用すべきかを示す図である。
【図１３】本発明の一実施形態におけるＵＥの構造を示す図である。
【発明を実施するための形態】
【００２１】
以下で、本発明の各実施形態を、添付の図面を参照して詳細に説明する。
【００２２】
ＴＭＳＩ／Ｐ−ＴＭＳＩとは、永続的ＩＤ、すなわち、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ、国際移動加入者識別情報）がエアインターフェース上で公開され、よって、追跡されるのを防ぎ、このような手段により加入者のプライバシを保護するために導入されるものである。ＴＭＳＩは、ＵＥのＬＡまたはＲＡにおいて一意である（ＣＳドメインにおけるＬＡ、およびＰＳドメインにおけるＲＡであり、１つのＬＡは複数のＲＡを含み得る）。よって、ＵＥがネットワークにアクセスするとき、ＴＭＳＩ／Ｐ−ＴＭＳＩはユーザＩＤとみなされる。加えて、ＴＭＳＩ／Ｐ−ＴＭＳＩには以下の機能がある。すなわち、ＵＥが新しいＣＮノードにアクセスするとき、ｆｌｅｘ概念が導入されていないと、新ＣＮノードは、ＬＡＩ（Ｌｏｃａｔｉｏｎ  Ａｒｅａ  Ｉｄｅｎｔｉｔｙ、ロケーションエリア識別情報）またはＲＡＩ（Ｒｏｕｔｉｎｇ  Ａｒｅａ  Ｉｄｅｎｔｉｔｙ、ルーティングエリア識別情報）により、ＵＥのコンテキストを求めて旧ノードをサーチする。ｆｌｅｘ上ではＡＮ機器とＣＮ機器の間に多対多関係が存在し、したがって、ＬＡＩまたはＲＡＩに従って旧ノードをサーチするだけでは不十分である。旧ノードは、ＬＡＩ／ＲＡＩとＴＭＳＩ／Ｐ−ＴＭＳＩとに従って決定されなければならない。
【００２３】
ＴＭＳＩ／Ｐ−ＴＭＳＩには別の機能がある。すなわち、ｆｌｅｘの場合、ＲＡＮは、ＴＭＳＩまたはＰ−ＴＭＳＩ情報に従ってＵＥが登録されているノードを探し出すことができる。具体的方法は以下のとおりである。ＴＭＳＩまたはＰ−ＴＭＳＩにおいて利用できる構成可能ビット０〜１０を使用して、プール内の異なるＣＮノードを区別するのに使用されるＮＲＩ（Ｎｅｔｗｏｒｋ  Ｒｅｓｏｕｒｃｅ  Ｉｄｅｎｔｉｆｉｅｒ、ネットワークリソース識別子）が識別される。よって、ＵＥが最初にプールにアクセスするとき、ＲＡＮノードは、ＮＮＳＦおよび負荷分割原則に従ってＵＥのために適正なＣＮノードを選択する。ＵＥがプール内で移動するとき、ＵＥは選択されたノードを変更しない。この原理は以下のとおりである。ＣＮノードはＵＥに１つのＴＭＳＩまたはＰ−ＴＭＳＩを割り振り、ＴＭＳＩまたはＰ−ＴＭＳＩは、ＣＮノードを表わすＮＲＩを搬送する。ＵＥがプールにアクセスするとき、ＵＥによって送られる初期直接転送（Ｉｎｉｔｉａｌ  Ｄｉｒｅｃｔ  Ｔｒａｎｓｆｅｒ）メッセージはこのＴＭＳＩまたはＰ−ＴＭＳＩを搬送する。ＴＭＳＩまたはＰ−ＴＭＳＩ内のＮＲＩに従って、ＲＡＮノードは、ＵＥが元来登録されているＣＮノードを探し出し、選択する。よって、ＵＥがプール内で移動するとき、ＵＥはＣＮノードを変更しない。ＵＥがプールから出るとき、ＲＡＮノードは、対応するＮＲＩを探し出すことができないため、新しいＣＮノードを選択し直す。これに続いて、ＵＥが新しいプール内で移動するとき、ＵＥはやはり、新ＣＮノードを変更しない。
【００２４】
従来技術のＴＭＳＩまたはＰ−ＴＭＳＩは３２ビット、すなわち、ＰＳドメインをＣＳドメインと区別するのに使用される数ビット（一般には２ビット）と、ＮＲＩを識別するのに使用される構成可能ビット０〜１０（ビット０は非ｆｌｅｘを指示する）と、再始動ＩＤとして使用される数ビットと、他の数ビットからなる。これらのビットは、ネットワーク配備状況に従って割り振られ得る。図５に、従来技術におけるＴＭＳＩまたはＰ−ＴＭＳＩの構造を示す。２ビットはＴＭＳＩをＰ−ＴＭＳＩから区別するのに使用される。５ビットの再始動ＩＤは、割り振り済みのＴＭＳＩがノード再始動のために再度割り振られることを防ぐのに使用される。すなわち、５ビットの再始動ＩＤは、重複したＴＭＳＩが割り振られるのを防ぐための時間と関連付けられ得る。７ビットはＮＲＩを識別するのに使用される。残りの１８ビットは、各ＣＮ機器によってＵＥに割り振られるＩＤとして使用され得る。
【００２５】
図６は、従来技術において２Ｇ／３Ｇネットワークにアクセスする場合の流れ図である。この流れ図では、ＲＮＣがＵＥのために新しいＳＧＳＮを選択し、新ＳＧＳＮは、ＲＡＩ＋Ｐ−ＴＭＳＩに従って、旧ＳＧＳＮにＵＥのコンテキストを要求する。このプロセスは以下のとおりである。ＵＥがＲＡＵプロセスを開始し、ＲＮＣにＲＲＣメッセージ（初期直接転送メッセージ）を送る。このメッセージは、旧ＲＡＩおよび旧Ｐ−ＴＭＳＩを搬送するＲＡＵ要求を含み、この場合ＲＡＵ要求は、ＲＲＣメッセージのＮＡＳ（Ｎｏｎ  Ａｃｃｅｓｓ  Ｓｔｒａｔｕｍ）のＩＥ（ｉｎｆｏｒｍａｔｉｏｎ  ｅｌｅｍｅｎｔ、情報要素）内に位置する。ＲＮＣはＲＲＣメッセージだけしか見ることができず、ＮＡＳメッセージは構文解析しない。ＲＲＣメッセージのドメイン内ＮＡＳノードセレクタＮＥ（Ｎｅｔｗｏｒｋ  Ｅｌｅｍｅｎｔ、ネットワーク要素）上で搬送されるＰ−ＴＭＳＩフィールド内のＮＲＩ情報に従って、ＲＮＣは、対応するＳＧＳＮを選択し、ＳＧＳＮとの接続を確立し、ＳＧＳＮにＮＡＳメッセージを転送する。ＲＮＣは、対応するＳＧＳＮが見つからない場合、新しいＳＧＳＮを選択する（このプロセスでは、ＲＮＣは新しいＳＧＳＮを選択する）。
【００２６】
受信ＲＡＵ要求で搬送されたＲＡＩおよびＰ−ＴＭＳＩ情報に従って、新ＳＧＳＮは、その構成またはＤＮＳ（Ｄｏｍａｉｎ  Ｎａｍｅ  Ｓｅｒｖｅｒ、ドメイン名サーバ）において旧ＳＧＳＮのアドレスを問い合わせる。次いで、新ＳＧＳＮは、旧ＲＡＩおよび旧Ｐ−ＴＭＳＩを搬送するＳＧＳＮコンテキスト要求を旧ＳＧＳＮに送ってＵＥのコンテキストを要求する。旧ＲＡＩおよび旧Ｐ−ＴＭＳＩ情報に従って、旧ＳＧＳＮは、対応するＵＥを探し出し、ＵＥのコンテキストを新ＳＧＳＮに返す。ＨＳＳ（Ｈｏｍｅ  Ｓｕｂｓｃｒｉｂｅｒ  Ｓｅｒｖｅｒ、ホーム加入者サーバ）に対して場所を更新するなど、他のプロセスを実行した後、新ＳＧＳＮは、ＵＥに新しいＲＡＩおよびＰ−ＴＭＳＩを割り振る。
【００２７】
ＵＥがＳＡＥネットワークから旧式ネットワークに移動するとき、旧式ネットワークはＳＡＥ−ＴＭＳＩを識別することができず、したがって、新しく選択されたＳＧＳＮは、ＳＡＥネットワーク上の旧ＭＭＥを探し出すことができない。その結果、ＵＥのコンテキストを獲得することができなくなる。本発明の各実施形態では、ＵＥがＳＡＥネットワークといった進化型ネットワークから２Ｇ／３Ｇネットワークといった旧式ネットワークに移動するときに、ＵＥは、旧式ネットワークにＲＡＵまたはＡｔｔａｃｈといったアクセスメッセージを送ることによって、ＵＥが進化型ネットワーク上で登録されているＭＭＥのＭＭＥ情報を旧式ネットワークに通知する。ＭＭＥ情報は、進化型ネットワークにおいてＵＥによってアクセスされたＭＭＥを一意に識別することができる。よって、旧式ネットワークがＵＥのために新しいＳＧＳＮを選択した後で、新ＳＧＳＮは、アクセスメッセージ内のＭＭＥ情報に従ってＭＭＥを特定して探し出し、次いで、ＭＭＥにコンテキスト要求または識別要求を送って、ＵＥの（ＲＡＵプロセスにおける）コンテキストまたは（Ａｔｔａｃｈプロセスにおける）ＩＭＳＩ情報を獲得する。組み合わせＭＭＥ／ＳＧＳＮが存在する場合、ＵＥがその組み合わせノードに登録されており、このＵＥがＳＡＥシステムから２Ｇ／３Ｇプールに、または２Ｇ／３ＧプールからＳＡＥシステムに移動するときには、可能ならば、コンテキスト転送を防ぐために旧組み合わせノードを選択した方がよい。また、本発明の各実施形態は、この機能も実施することができる。
【００２８】
ＭＭＥ情報の別の場合によれば、本発明の各実施形態は、アクセスメッセージにＭＭＥ情報を追加する別の方法を提供する。例えば、進化型ネットワーク上で１つのＭＭＥが１つのＭＭＥＩＤに対応する場合、このＭＭＥＩＤはこのＭＭＥを一意に識別することができる。したがって、アクセスメッセージ内のＰ−ＴＭＳＩまたはＲＡＩ情報にこのＭＭＥＩＤさえ追加されればよい。進化型ネットワーク上にプールが存在する場合、ＭＭＥはプール内で一意のＭＭＥＩＤを有する。したがって、ＭＭＥを決定するのにプールＩＤ＋ＭＭＥＩＤが使用されるはずである。異なるＰＬＭＮ（Ｐｕｂｌｉｃ  Ｌａｎｄ  Ｍｏｂｉｌｅ  Ｎｅｔｗｏｒｋ、公衆陸上移動網）上のプールＩＤが重複している場合には、ＰＬＭＮＩＤ＋プールＩＤ＋ＭＭＥＩＤでＭＭＥを一意に決定することができる。加えて、ＴＡＩ＋プールＩＤ＋ＭＭＥＩＤまたはＰＬＭＮＩＤ＋ＴＡＩ＋プールＩＤ＋ＭＭＥＩＤでもＭＭＥを一意に決定し得る。プールは、ＵＥが移動する、サービス提供側ＭＭＥが変更される必要のないエリアである。以下で、本発明の各実施形態において提供される前述の各場合を詳細に説明する。
【００２９】
本発明の各実施形態では、ＵＥが、進化型ネットワークの一時ユーザＩＤ（ＳＡＥ−ＴＭＳＩ）によって（２Ｇ／３Ｇネットワークといった）旧式ネットワークにアクセスするものと仮定する。好ましい解決法において、本発明の各実施形態は、プールＩＤ、ＭＭＥＩＤ、ＵＥ一時ＩＤ、任意選択の再始動ＩＤ、および任意選択の他の識別を含むＳＡＥ−ＴＭＳＩの構造を提供する（ＰＬＭＮＩＤは、ＳＡＥ−ＴＭＳＩの一部とみなされても、みなされなくてもよい）。すなわち、ＳＡＥ−ＴＭＳＩは、少なくともプールＩＤ、ＭＭＥＩＤ、およびＵＥＩＤを含む。プールＩＤは、ＭＭＥが位置するプールまたはエリアのＩＤを指示する。ＭＭＥＩＤは、プール内のＭＭＥのＩＤを指示する。ＵＥＩＤは、ＭＭＥ内でＵＥを一意に識別するＩＤを指示する。すなわち、ネットワーク全体のＭＭＥＩＤは、プールＩＤ＋ＭＭＥＩＤで指示される。
【００３０】
プールＩＤは、全ＰＬＭＮ上で一意である場合も、重複する場合もある。非隣接プールのＩＤは同じものとすることができる。よって、プールＩＤが重複している場合、ＭＭＥを識別するのにＳＡＥ−ＴＭＳＩとＴＡＩ情報を併せて使用する必要がある。ＭＭＥＩＤはプール内で一意のＩＤである。ＵＥ一時ＩＤは、各ＭＭＥによってＵＥに割り振られ得るＩＤである。また、ＳＡＥ−ＴＭＳＩには再始動ＩＤも追加され得る。再始動ＩＤの機能は従来技術のＰ−ＴＭＳＩにおける再始動ＩＤと同様である。すなわち、この機能は、同じＳＡＥ−ＴＭＳＩが、同じＭＭＥ内で割り振られるのを防ぐためのものである。加えて、ＳＡＥ−ＴＭＳＩには、ＵＭＴＳ／ＳＡＥネットワークを区別するのに使用されるＩＤまたはネットワークを区別するのに使用される他のＩＤを追加することもできる。
【００３１】
前述のＳＡＥ−ＴＭＳＩ構造は、前のネットワーク上のＲＮＣおよびＳＧＳＮが変更される必要がない場合に、本発明の各実施形態において提供される好ましい解決法である。しかし、本発明の各実施形態の主要な関心事は、旧式ネットワークが、進化型ネットワーク上でＵＥによってアクセスされるＭＭＥを一意に特定し、探し出し、よって、ＵＥがＳＡＥ−ＴＭＳＩによって旧式ネットワークにアクセスした後でＵＥのコンテキストを獲得することができることである。以下の要件が満たされるとき、ＳＡＥ−ＴＭＳＩ構造のどんな変更も、本発明の保護の範囲内に包含されるべきである。本発明の各実施形態は、ＳＡＥ−ＴＭＳＩについて以下の要件を提示する。
１．ＳＡＥ−ＴＭＳＩはセキュアであり、簡単に追跡できない。
２．ＲＡＮが旧ＣＮノードを選択する。
３．ＣＮノードが変化する場合、新ＣＮノードは、ＬＡによって、またはＬＡおよびＴＭＳＩによって旧ＣＮノードを探し出し、ＵＥのコンテキストまたはＩＤを獲得する。
４．対応するＵＥは、ＳＡＥ−ＴＭＳＩが指標として機能するときに、旧ＣＮノードにおいて探し出される。
【００３２】
明らかに、前述のＳＡＥ−ＴＭＳＩについての要件を満たすＩＤは、たとえその名前が異なっていても、やはりＳＡＥ−ＴＭＳＩの範囲内にある。
【００３３】
図７は、本発明の第１の実施形態において進化型ネットワークの一時ＩＤによって旧式ネットワークにアクセスする方法の流れ図である。この流れ図は以下の各ステップを含む。
【００３４】
ステップＳ７０１：ＵＥが最初に進化型ネットワークにアクセスするとき、進化型ネットワークはＵＥのために対応するＭＭＥを選択する。例えば、進化型ネットワークは、負荷分割原則に従ってＭＭＥを選択する。ＵＥがＭＭＥに登録された後、ＭＭＥはＵＥのためにＳＡＥ−ＴＭＳＩを割り振る。
【００３５】
ステップＳ７０２：ＵＥが進化型ネットワークから（２Ｇ／３Ｇネットワークといった）旧式ネットワークに移動し、進化型ネットワークによって割り振られたＳＡＥ−ＴＭＳＩによって旧式ネットワークにアクセスする場合、ＵＥから旧式ネットワークに送られるアクセスメッセージに、進化型ネットワークにおいてＵＥによってアクセスされたＭＭＥを一意に識別するＭＭＥ情報が追加される。ＳＡＥネットワーク構成が異なるため、ＭＭＥ情報にはいくつかのモードがある。以下でＭＭＥ情報の異なるモードを説明する。
【００３６】
モード１：進化型ネットワーク上で、ＭＭＥは一意のＭＭＥＩＤを有し、これに基づいて旧式ネットワークは、進化型ネットワークにおいてＵＥによってアクセスされるＭＭＥを特定し、探し出すことができる。本発明の一実施形態において、ＵＥは、アクセスメッセージで搬送されるＲＡＩ情報および／またはＰ−ＴＭＳＩ情報にＭＭＥＩＤを追加する。好ましくは、ＵＥは、Ｐ−ＴＭＳＩ情報にＭＭＥＩＤを追加する。また、ＵＥは、アクセスメッセージのＰ−ＴＭＳＩシグネチャにもＭＭＥＩＤを追加し得る。
【００３７】
進化型ネットワーク上では一般に、ＭＭＥとＳＧＳＮが組み合わされる。この場合、旧式ネットワークは、ＵＥが、進化型ネットワークから、進化型ネットワークと同じプール内の旧式ネットワーク（２Ｇ／３Ｇネットワーク）に移動し、旧式ネットワークにアクセスするときに、ＵＥのために、組み合わせＭＭＥ／ＳＧＳＮではなく別のＳＧＳＮを選択し直す場合がある。このため、不必要なノード再選択およびコンテキスト転送が生じる。したがって、ＮＲＩと組み合わせＭＭＥ／ＳＧＳＮのＭＭＥＩＤは同じでなければならない。加えて、ＵＥが進化型ネットワークから旧式ネットワークに移動するとき、アクセスメッセージで搬送されるＰ−ＴＭＳＩ情報内のＮＲＩ情報はＭＭＥＩＤとして設定されている。よって、旧式ネットワークは、ＵＥのためにＳＧＳＮを選択するとき、旧組み合わせＭＭＥ／ＳＧＳＮを選択し、よって、ノード再選択が回避される。図８に、本発明の一実施形態において、どのようにして組み合わせＭＭＥ／ＳＧＳＮを選択すべきかを示す。４と６は、それぞれ、ＮＲＩまたはＭＭＥＩＤが４と６である組み合わせＭＭＥ／ＳＧＳＮを指示し、１、２、３は、それぞれ、ＮＲＩまたはＭＭＥＩＤが１、２、３である純ＭＭＥまたはＳＧＳＮを指示するものと仮定する。ＵＥがプール１内のノード６（組み合わせＭＭＥ／ＳＧＳＮ）に登録されているとき、このＵＥは、ＳＡＥネットワークから２Ｇ／３Ｇネットワークに移動するとき、まだプール１内にある。ＵＥは、２Ｇ／３Ｇネットワークにおいてアクセスを開始するとき、２Ｇ／３Ｇネットワークのアクセスメッセージを使用し、ＳＡＥ−ＴＭＳＩのＭＭＥＩＤ部分をＰ−ＴＭＳＩのＮＲＩ部分に配置する。よって、メッセージを受け取ると同時に、ＢＳＣまたはＲＮＣは、このメッセージをノード６に転送し、ＮＲＩ＝６という情報によってノード６との接続を確立し、したがって、この場合もやはり組み合わせＳＧＳＮ／ＭＭＥ（６）を選択することができ、ノードは変化しない。プール２内の２Ｇ／３Ｇネットワークに移動するとき、ＵＥはＲＡＵプロセスを開始する。ＢＳＣまたはＲＮＣは、初期直接転送メッセージを受け取る。ＮＲＩ＝６という情報に従っては、ＢＳＣまたはＲＮＣは、対応するノードを探し出すことができず、そのため、ノード選択を開始し、ＮＲＩ＝２となる新しいＳＧＳＮを選択する。ＲＡＵ要求を受け取った後、ＳＧＳＮは、ＲＡＩおよびＰ−ＴＭＳＩ情報に従って構成またはＤＮＳ内の情報を問い合わせる。ＤＮＳがアップグレードされている場合、または構成が変更されている場合、対応する旧ＭＭＥアドレスは、ＭＭＥＩＤ（またはプールＩＤ＋ＭＭＥＩＤ、または、ＰＬＭＮＩＤ＋プールＩＤ＋ＭＭＥＩＤ）に従って探し出される。新ＳＧＳＮは、ＲＡＩおよびＰ−ＴＭＳＩ情報を搬送するコンテキスト要求をＭＭＥに送る。ＲＡＩおよびＰ−ＴＭＳＩ内の暗示的ＳＡＥ−ＴＭＳＩ情報に従って、旧ＭＭＥは、対応するＵＥを探し出し、ＵＥのコンテキストを新ＳＧＳＮに返す。
【００３８】
前述の説明によれば、ＳＡＥ−ＴＭＳＩのＭＭＥＩＤ部分をＰ−ＴＭＳＩのＮＲＩ部分に配置することが、本発明の実施形態の好ましい解決法である。よって、不要なノード再選択を効率よく回避することができる。
【００３９】
加えて、ＵＥが２Ｇ／３Ｇネットワーク（旧式ネットワーク）からＳＡＥネットワーク（進化型ネットワーク）に移動する場合、ＵＥは、Ｐ−ＴＭＳＩによってＳＡＥネットワークにアクセスする。ＥＮＢ（進化型ネットワークのＲＡＮノード）は、ＭＭＥＩＤ＝ＮＲＩとなるＭＭＥを優先的に選択する。例えば、ＵＥがＳＡＥネットワークから２Ｇ／３Ｇネットワークに移動し、ＵＥがプール１内の組み合わせノード６に登録されている場合、アクセス先の２Ｇ／３Ｇはやはりプール１に属する。その場合、ＥＮＢはやはり旧組み合わせＭＭＥ／ＳＧＳＮ（６）を選択する。ＥＮＢは、対応するＭＭＥを探し出すことができない場合、新ＭＭＥ選択プロセスをトリガし、ＵＥのために新しいＭＭＥを選択する。
【００４０】
モード２：進化型ネットワーク上で、ＭＭＥＩＤは同じプール内で一意であるが、進化型ネットワーク全体では重複したＩＤも存在し得る。プールＩＤは進化型ネットワーク（ＰＬＭＮ）全体で一意である。したがって、プールＩＤ＋ＭＭＥＩＤで、進化型ネットワーク内でＵＥによってアクセスされるＭＭＥを識別することができる。本発明の好ましい実施形態では、ＳＡＥ−ＴＭＳＩは、ＰＬＭＮ上で一意のプールＩＤ、プール内で一意のＭＭＥＩＤ、およびＭＭＥで一意のＵＥＩＤ（および他の可能なフィールド）を含む。すなわち、ＭＭＥは、ＰＬＭＮ上で一意のプールＩＤとプール内で一意のＭＭＥＩＤによって識別することができる。ＵＥは、プールＩＤおよびＭＭＥＩＤを、アクセスメッセージで搬送されるＲＡＩおよび／またはＰ−ＴＭＳＩ情報に追加する。すなわち、プールＩＤおよびＭＭＥＩＤはＲＡＩおよび／またはＰ−ＴＭＳＩフィールドにマップされる。好ましくは、本発明の一実施形態では、プールＩＤおよびＭＭＥＩＤは、ＲＡＩ情報およびＰ−ＴＭＳＩ情報に追加される。図９に、本発明の一実施形態において、どのようにしてプールＩＤおよびＭＭＥＩＤをＲＡＩ情報およびＰ−ＴＭＳＩ情報に追加すべきかを示す。アクセスメッセージ内のＰ−ＴＭＳＩ情報のＮＲＩ情報はＭＭＥＩＤとして設定され、プールＩＤは、（Ｐ−ＴＭＳＩのその他の部分やＲＡＩのＬＡＣおよび／またはＲＡＣ部分、ＭＣＣ（Ｍｏｂｉｌｅ  Ｃｏｕｎｔｒｙ  Ｃｏｄｅ、移動国コード）およびＭＮＣ（Ｍｏｂｉｌｅ  Ｎｅｔｗｏｒｋ  Ｃｏｄｅ、移動ネットワークコード）を除くＲＡＩの他の部分、ＮＲＩを除くＰ−ＴＭＳＩの他の部分といった）ＮＲＩを除く他の情報に追加される。他の情報には、Ｐ−ＴＭＳＩ情報、ＲＡＩ情報、またはＰ−ＴＭＳＩシグネチャが含まれる。また、ＲＡＩまたはＰ−ＴＭＳＩ情報は、ＳＡＥ−ＴＭＳＩの他のＩＥも搬送し得る。例えば、図９では、プールＩＤがＲＡＩに追加されている。また、プールＩＤはＰ−ＴＭＳＩまたはＲＡＩの一部およびＰ−ＴＭＳＩの一部を使用してもよい。組み合わせＭＭＥ／ＳＧＳＮが存在するときに不要なノード再選択を回避するために、本発明の別の好ましい実施形態では、ＳＡＥ−ＴＭＳＩのＭＭＥＩＤ部分がＰ−ＴＭＳＩのＮＲＩ部分に配置される（ＮＲＩと組み合わせＭＭＥ／ＳＧＳＮのＭＭＥＩＤとは同じでなければならない）。ＳＡＥ−ＴＭＳＩがＰ−ＴＭＳＩより長い（例えば、長さが４０ビットまたは５６ビットなどである）場合、その他の部分はＲＡＩのいくつかのビットおよび／またはＰ−ＴＭＳＩシグネチャのいくつかのビットを使用する必要がある。本発明の好ましい実施形態では、ＳＧＳＮおよびＲＮＣが変更されるのを防ぐために、ＲＡＩのいくつかのビットだけが使用される。
【００４１】
ＳＡＥ−ＴＭＳＩのプールＩＤおよび他の部分は、ＮＲＩを除くＰ−ＴＭＳＩ情報に配置され得る。ＳＡＥ−ＴＭＳＩがＰ−ＴＭＳＩより長い場合には、ＲＡＩのＬＡＣおよび／またはＲＡＣ部分も使用することができる。よって、ＳＡＥ−ＴＭＳＩの長さは、最大で５６ビットまで拡張することができる。したがって、このモードは、ＰＬＭＮ上のＭＭＥの数を制限しない。すなわち、ＭＭＥの数はプールＩＤ＋ＭＭＥＩＤによって決まる。１プール内のＭＭＥの最大数は１０２４（最大ＭＭＥＩＤはＮＲＩの長さ、すなわち１０ビットであるため、２10）である。２Ｇ／３Ｇネットワークとの対話が不要である場合、プール内のＭＭＥの数はＮＲＩの長さによって制限されない。
【００４２】
同様に、ＵＥが２Ｇ／３ＧネットワークからＳＡＥネットワークに移動する場合、ＵＥはＰ−ＴＭＳＩによってＳＡＥネットワークにアクセスする。この場合、進化型ネットワークのＥＮＢといったＲＡＮノードは、ＭＭＥＩＤ＝ＮＲＩであるＭＭＥを選択しようとする。例えば、ＵＥがＳＡＥネットワークから２Ｇ／３Ｇネットワークに移動し、ＵＥがプール１内の組み合わせノード６に登録されている場合、アクセス先の２Ｇ／３Ｇネットワークはやはりプール１に属する。その場合、ＥＮＢはやはり旧組み合わせＭＭＥ／ＳＧＳＮ（６）を選択する。ＥＮＢは、対応するＭＭＥを探し出すことができない場合、新ＭＭＥ選択プロセスをトリガし、ＵＥのために新しいＭＭＥを選択する。
【００４３】
したがって、本発明の一実施形態は最適化されたモードを提供する。純ＳＡＥネットワークの場合、ＰＬＭＮ上でプールＩＤが重複せず、プール内でＭＭＥＩＤが重複しないことが求められる。ＳＡＥネットワークと２Ｇ／３Ｇネットワークのハイブリッドネットワークの場合、組み合わせＭＭＥ／ＳＧＳＮのＳＧＳＮのＮＲＩは、組み合わせＭＭＥ／ＳＧＳＮのＭＭＥのＭＭＥＩＤと等しくなければならず、純ＭＭＥのＭＭＥＩＤは、隣接するプール内の純ＳＧＳＮのＮＲＩと同じにすべきではない。
【００４４】
ＵＥがＳＡＥ−ＴＭＳＩによって２Ｇ／３Ｇネットワークにアクセスし、新しいＳＧＳＮを選択した後、ＳＧＳＮは、Ｐ−ＴＭＳＩおよびＲＡＩ（ＳＧＳＮから見れば実際にはＳＡＥ−ＴＭＳＩ情報）に従って、旧ノードのＤＮＳまたは構成をサーチする必要があることに留意すべきである。ＤＮＳまたは構成がアップグレードされている場合には、ＳＡＥ−ＴＭＳＩ情報内のＰＬＭＮＩＤ（ＲＡＩ内のＭＣＣ＋ＭＮＣ）、プールＩＤ、およびＭＭＥＩＤに従って、旧ＭＭＥアドレスを一意に特定し、探し出すことができる。ＳＧＳＮは、Ｐ−ＴＭＳＩおよび（ＳＧＳＮから見れば実際にはＳＡＥ−ＴＭＳＩを含む）旧ＲＡＩを搬送するコンテキスト要求または識別要求メッセージを送る。メッセージを受け取った後、ＭＭＥは、ＳＡＥ−ＴＭＳＩに従ってＵＥを探し出し、ＵＥのコンテキストを返す。
【００４５】
モード３：このモードでは、ＰＬＭＮＩＤはＳＡＥ−ＴＭＳＩの一部に属する。進化型ネットワーク上において、ＭＭＥＩＤはプール内で一意であるが、進化型ネットワーク全体では重複するＩＤも存在し得る。プールＩＤは異なるＰＬＭＮ上では一意ではない。したがって、ＰＬＭＮＩＤ（ＭＣＣ＋ＭＮＣ）は、進化型ネットワークにおいてＵＥによってアクセスされるＭＭＥを識別するために、プールＩＤ＋ＭＭＥＩＤと共に使用すべきである。すなわち、ＭＭＥはＰＬＭＮＩＤ＋プールＩＤ＋ＭＭＥＩＤによって一意に識別される。図９に示すように、アクセスメッセージ内のＰ−ＴＭＳＩ情報のＮＲＩ情報は、ＭＭＥＩＤとして設定される。ＲＡＩ、Ｐ−ＴＭＳＩ、およびＰ−ＴＭＳＩシグネチャは、ＰＬＭＮＩＤおよびプールＩＤを搬送することができる。例えば、ＰＬＭＮＩＤはＲＡＩ情報に追加され、プールＩＤはＮＲＩを除くＰ−ＴＭＳＩ情報の他の部分に追加される。ＰＬＭＮＩＤおよびプールＩＤは、ＲＡＩ情報またはＰ−ＴＭＳＩシグネチャ情報に追加することができる。本発明の一実施形態では、好ましいモードは、ＮＲＩ情報をＭＭＥＩＤ情報として設定するものである。ＲＡＩ、Ｐ−ＴＭＳＩシグネチャ、およびＰ−ＴＭＳＩは、ＰＬＭＮＩＤおよびプールＩＤを別々に搬送することも、一緒に搬送することもできる。
【００４６】
組み合わせＭＭＥ／ＳＧＳＮが存在するときに不要なノード再選択を回避するために、本発明の別の好ましい実施形態では、ＳＡＥ−ＴＭＳＩのＭＭＥＩＤ部分をＰ−ＴＭＳＩのＮＲＩ部分に配置する（ＮＲＩと組み合わせＭＭＥ／ＳＧＳＮのＭＭＥＩＤとは同じでなければならない）。
【００４７】
モード４：プールＩＤおよびＭＭＥＩＤがＰＬＭＮ上で一意でないとき、例えば、ＰＬＭＮ上のプールＩＤが重複し得るとき（隣接するプールのプールＩＤは異なるべきである）、旧ＭＭＥは、プールＩＤおよびＭＭＥＩＤをＴＡＩと組み合わせることによって決定され得る。すなわち、ＭＭＥは、ＴＡＩ＋プールＩＤ＋ＭＭＥＩＤによって一意に識別される。図１０に、本発明の一実施形態において、どのようにして、ＴＡＩ、プールＩＤ、およびＭＭＥＩＤをＲＡＵ情報およびＰ−ＴＭＳＩ情報に追加すべきかを示す。ＵＥは旧式ネットワークにＴＡＩ情報を提供する必要がある。ＳＡＥ−ＴＭＳＩは拡張され得るため、ＳＡＥ−ＴＭＳＩ＋ＴＡＩは、旧ＲＡＩ＋Ｐ−ＴＭＳＩの位置を使用する必要がある。ＴＡＣが２０ビットを占める場合、ＳＡＥ−ＴＭＳＩには４ビットが提供され得る。よって、ＳＡＥ−ＴＭＳＩは３６ビットを有する（Ｐ−ＴＭＳＩフィールドは長さ３２ビットであり、ＬＡＣ＋ＲＡＣは長さ２４ビットである）。ＵＥがＳＡＥ−ＴＭＳＩによって２Ｇ／３Ｇにアクセスする場合、ＭＭＥはＮＲＩのところにある適正なＳＧＳＮを選択し、ＳＧＳＮは、旧ＭＭＥの更新されたＤＮＳまたは構成をサーチし、ＴＡＩ＋プールＩＤ＋ＭＭＥＩＤによって旧ＭＭＥを探し出す。プールＩＤは、ＭＭＥＩＤと組み合わされて１つのＭＭＥＩＤとされ得る。本発明の一実施形態では、アクセスメッセージのＰ−ＴＭＳＩ情報内のＮＲＩ情報はＭＭＥＩＤとして設定され、ＴＡＩおよびプールＩＤはＲＡＩ情報に追加される。組み合わせＭＭＥ／ＳＧＳＮが存在するときに不要なノード再選択を回避するために、本発明の別の好ましい実施形態では、ＳＡＥ−ＴＭＳＩのＭＭＥＩＤ部分をＰ−ＴＭＳＩのＮＲＩ部分に配置する（ＮＲＩと組み合わせＭＭＥ／ＳＧＳＮのＭＭＥＩＤとは同じでなければならない）。
【００４８】
ステップＳ７０３：旧式ネットワークは、アクセスメッセージに従ってＵＥのために対応するＳＧＳＮを選択する。受信アクセスメッセージで搬送されたＰ−ＴＭＳＩ情報のＮＲＩに従って、旧式ネットワークは対応するＳＧＳＮを選択する。対応するＳＧＳＮが存在しない場合、旧式ネットワークは新しいＳＧＳＮを選択する。ＵＥが新ＳＧＳＮにアクセスする場合、ＵＥは、ＮＡＳメッセージで搬送されたＲＡＩ  ＩＥおよびＰ−ＴＭＳＩ情報を新ＳＧＳＮに送る。
【００４９】
ステップＳ７０４：選択されたＳＧＳＮが新しいノードである場合、選択されたＳＧＳＮは、アクセスメッセージで搬送されたＭＭＥ情報に従ってＭＭＥを決定し、ＭＭＥにＵＥ情報を要求する。具体的には、ＳＧＳＮの構成情報またはＤＮＳがアップグレードされ、ＳＧＳＮは、ＭＭＥ情報に従ってＭＭＥの構成情報またはＤＮＳをサーチする。例えば、旧ＭＭＥの対応するアドレスは、ＭＭＥＩＤ（またはプールＩＤ＋ＭＭＥＩＤまたはＰＬＭＮＩＤ＋プールＩＤ＋ＭＭＥＩＤ）によって探し出すことができ、新ＳＧＳＮは、ＲＡＩおよびＰ−ＴＭＳＩ情報を搬送するコンテキスト要求をＭＭＥに送る。旧ＭＭＥは、ＲＡＩおよびＰ−ＴＭＳＩ内の暗示的ＳＡＥ−ＴＭＳＩ情報に従って対応するＵＥを探し出し、ＵＥのコンテキストを新ＳＧＳＮに返す。
【００５０】
前述の各実施形態によれば、本発明の一実施形態は、ＳＡＥ−ＴＭＳＩ情報を搬送するモード５を提供する。ＵＥが従来技術の２Ｇ／３Ｇネットワークといった旧式ネットワークにアクセスするモードは以下のとおりである。Ｐ−ＴＭＳＩ情報が受信ＲＲＣメッセージ（初期直接転送メッセージ）に配置され、ＲＮＣやＢＳＣといったＲＡＮノードが、Ｐ−ＴＭＳＩ情報内のＮＲＩ情報に従って、対応するＳＧＳＮを探し出す。加えて、ＲＲＣメッセージ内のＮＡＳメッセージはＰ−ＴＭＳＩ情報、すなわち２つのＰ−ＴＭＳＩも搬送する。ＮＡＳメッセージ内のＰ−ＴＭＳＩ（および旧ＲＡＩ、ならびに可能なＰ−ＴＭＳＩシグネチャ）はＳＧＳＮに転送され、ＲＮＣやＢＳＣといったＲＡＮノードは、ＮＡＳメッセージ内のＰ−ＴＭＳＩ情報を構文解析しない。したがって、このモードの方法は以下のとおりである。ＲＲＣメッセージ内のＰ−ＴＭＳＩだけが変更される。ＮＲＩ情報はＭＭＥＩＤとして設定される。ＮＲＩ情報を除くＲＲＣメッセージ内のＰ−ＴＭＳＩの情報は処理されなくてもよく、例えば、０などに設定され得る。ＮＡＳメッセージ内のＰ−ＴＭＳＩ、ＲＡＩ、およびＰ−ＴＭＳＩシグネチャに関しては、ＭＭＥ情報がＰ−ＴＭＳＩおよび／またはＲＡＩだけに配置される必要があり、よって、旧ＭＭＥアドレスは、ＤＮＳまたはＳＧＳＮ構成において探し出すことができる。ＭＭＥＩＤは、ＮＡＳメッセージ内のＰ−ＴＭＳＩ情報のＮＲＩ情報に配置される必要はない。図１１は本発明の一実施形態である。ＵＥがＳＡＥ−ＴＭＳＩによって２Ｇ／３Ｇネットワークにアクセスするとき、ＲＲＣメッセージ内のＰ−ＴＭＳＩ情報のＮＲＩ情報は、ＭＭＥＩＤなどのＭＭＥ情報に設定される。ＮＡＳメッセージでは、旧ＭＭＥが旧ＲＡＩおよびＰ−ＴＭＳＩだけに従って探し出される必要がある。例えば、プールＩＤおよびＭＭＥＩＤは旧ＲＡＩに設定されており、ＵＥＩＤおよびその他のバイトはＰ−ＴＭＳＩに配置されているが、ＭＭＥＩＤは、ＮＡＳメッセージ内のＰ−ＴＭＳＩ情報のＮＲＩ情報に配置される必要はない。また、他の実施モードも用いられ得る。例えば、グローバルＭＭＥＩＤが旧ＲＡＩに配置され、またはＴＡＩがＰ−ＴＭＳＩに配置され、または重複するＭＭＥＩＤが旧ＲＡＩに配置され、Ｐ−ＴＭＳＩシグネチャさえもが使用され得る（例えば、グローバルＭＭＥＩＤが旧ＲＡＩおよびＰ−ＴＭＳＩに配置され、ＵＥＩＤがＰ−ＴＭＳＩシグネチャに配置される）。よって、ＳＡＥ−ＴＭＳＩの長さはさらに拡張され得る。プールＩＤ、ＭＭＥＩＤ、ＴＡＩといったＭＭＥ情報は、旧ＲＡＩおよび／またはＰ−ＴＭＳＩに配置され、よって、ＤＮＳまたはＳＧＳＮの構成が縮小される。
【００５１】
ＤＮＳまたは構成に従って、旧ＭＭＥ／ＳＧＳＮを探し出すことができる。探し出された旧ＭＭＥ／ＳＧＳＮがＵＥの実際の旧ＭＭＥ／ＳＧＳＮでない可能性もある。例えば、ＵＥが、別のＰＬＭＮの、ｆｌｅｘを用いて構成されていないＳＧＳＮにアクセスし、ＳＧＳＮが、ＲＡＩ情報だけに従ってデフォルトのＭＭＥ／ＳＧＳＮのアドレスをサーチする場合、新しいＳＧＳＮは、ＲＡＩおよびＰ−ＴＭＳＩ情報を搬送するコンテキスト要求または識別情報要求メッセージをＭＭＥ／ＳＧＳＮに送る。メッセージを受け取った後、デフォルトのＭＭＥ／ＳＧＳＮは、ＲＡＩおよびＰ−ＴＭＳＩ情報に従って実際のＭＭＥ／ＳＧＳＮを探し出し、次いで、メッセージを実際のＭＭＥ／ＳＧＳＮに転送する。
【００５２】
ＵＥが割り振られたＳＡＥ−ＴＭＳＩによって再度ＳＡＥネットワークにアクセスする場合、ＥＮＢは、ＳＡＥ−ＴＭＳＩのＭＭＥＩＤまたはプールＩＤおよびＭＭＥＩＤに従って旧ＭＭＥを選択することができる。対応するＭＭＥがない場合、ＥＮＢは新しいＭＭＥを選択する。新ＭＭＥは、ＳＡＥ−ＴＭＳＩ内のプールＩＤおよびＭＭＥＩＤに従って旧ＭＭＥを探し出す。旧ＭＭＥは、ＳＡＥ−ＴＭＳＩに従ってＵＥを探し出し、ＵＥのコンテキストを新ＭＭＥに返す。
【００５３】
前述の各実施形態によれば、本発明の一実施形態ではさらに、ＳＡＥ−ＴＭＳＩ情報を搬送するモード６を提供する。前述のモードでは、ＰＬＭＮＩＤ、ＴＡＩ、およびプールＩＤ（またはＭＭＥＩＤ）が、Ｐ−ＴＭＳＩシグネチャを使用することによってアクセスメッセージに追加され得る。このモードでは、主に、Ｐ−ＴＭＳＩシグネチャを使用する方法を説明するが、これは、このモードがＰ−ＴＭＳＩシグネチャを使用してのみ実施され得ることを意味するものではない。この実施形態は、ＲＡＩ情報および／またはＰ−ＴＭＳＩ情報といった他の情報と共に使用することもできる。
【００５４】
Ｐ−ＴＭＳＩシグネチャはセキュリティを保証するのに使用される。ＵＥが２Ｇ／３Ｇネットワークにアクセスするとき、ＵＥは、旧ＲＡＩ、Ｐ−ＴＭＳＩ、およびＰ−ＴＭＳＩシグネチャをアクセスネットワークに搬送することができる。ＳＧＳＮが変化する場合、新ＳＧＳＮは旧ＲＡＩおよびＰ−ＴＭＳＩを使用して旧ＳＧＳＮのアドレスを問い合わせる。次いで、新ＳＧＳＮは旧ＳＧＳＮに、旧ＲＡＩおよびＰ−ＴＭＳＩ以外に任意選択のパラメータであるＰ−ＴＭＳＩシグネチャを搬送し得る識別要求およびコンテキスト要求を送る。したがって、ＵＥがＳＡＥ−ＴＭＳＩによって旧式ネットワークにアクセスするとき、ＳＡＥ−ＴＭＳＩは、新ＳＧＳＮが旧ＲＡＩおよびＰ−ＴＭＳＩに従って旧ＭＭＥのアドレスを探し出す場合に限り、Ｐ−ＴＭＳＩシグネチャを使用し得る。図１２に、本発明の一実施形態で、どのようにしてＰ−ＴＭＳＩシグネチャを使用すべきかを示す。この実施形態のＳＡＥ−ＴＭＳＩは、少なくともプールＩＤ（プールＩＤはＰＬＭＮ全体で一意である）、ＭＭＥＩＤ、およびＵＥＩＤからなるものと仮定する。プールＩＤおよびＭＭＥＩＤは、旧ＲＡＩおよび／またはＰ−ＴＭＳＩ情報に配置されなければならない。ＭＭＥＩＤはさらにＮＲＩにも配置される必要がある（モード５では、ＮＡＳメッセージ内のＰ−ＴＭＳＩのＭＭＥＩＤはＮＲＩ情報に配置される必要はない）。他のフィールドは、旧ＲＡＩおよびＰ−ＴＭＳＩ情報のみならず、Ｐ−ＴＭＳＩシグネチャのいくつかのビットも使用する。例えば、Ｐ−ＴＭＳＩシグネチャは２４ビットを有し、うち１０ビットはＳＡＥセキュリティに使用され、残りの部分は、ＳＡＥ−ＴＭＳＩの構成の長さに応じた６ビットなど、いくつかのビット（プールＩＤやＭＭＥＩＤといった旧ＭＭＥのアドレスを問い合わせるのに必要な情報はこれらのビットに配置することができない）を使用し得る。よって、ＵＥが新しいＳＧＳＮにアクセスした後、新ＳＧＳＮは、旧ＲＡＩおよびＰ−ＴＭＳＩに従って旧ＭＭＥのアドレスを問い合わせる。新ＳＧＳＮは、ＤＮＳまたはＳＧＳＮの構成がアップグレードされる場合には、ＰＬＭＮＩＤ＋プールＩＤ＋ＭＭＥＩＤに従って旧ＭＭＥのアドレスを探し出すことができる。新ＳＧＳＮは、旧ＲＡＩ、Ｐ−ＴＭＳＩ、Ｐ−ＴＭＳＩシグネチャを搬送するコンテキスト要求を旧ＭＭＥのアドレスに送る。ＭＭＥは、これらのパラメータによって構成されるＳＡＥ−ＴＭＳＩによって対応するＵＥを探し出し、ＵＥのコンテキストを返す。
【００５５】
プールＩＤは、一意でない場合もあり、または不要な場合さえあり、対応するＭＭＥは、ＴＡＩ情報とＭＭＥＩＤの組み合わせによって決定される。例えば、ＵＥは、ＳＡＥ−ＴＭＳＩおよび旧ＴＡＩによって２Ｇ／３Ｇネットワークにアクセスする。ＳＡＥ−ＴＭＳＩはＭＭＥＩＤを含む（ＭＭＥＩＤはＰＬＭＮ全体で一意、またはプール内で一意とすることができる。この実施形態では、ＭＭＥＩＤはプール内で一意であるものと仮定する）。ＵＥはＴＡＩ情報を旧ＲＡＩ情報に配置し、ＭＭＥＩＤをＮＲＩ情報に配置する。残りの情報は、旧ＲＡＩおよびＰ−ＴＭＳＩの他の残りの情報の位置を使用し、旧ＭＭＥの問い合わせに関与しないＰ−ＴＭＳＩシグネチャさえも使用する。旧ＲＡＩおよびＰ−ＴＭＳＩ（実際にはＴＡＩおよびＭＭＥＩＤ）に従って旧ＭＭＥを問い合わせることができる場合、旧ＭＭＥの問い合わせに関与しないＳＡＥ−ＴＭＳＩの他の部分は、Ｐ−ＴＭＳＩシグネチャを使用し得る。新しいＳＧＳＮは、探し出されたＭＭＥアドレスに要求を送る。ＭＭＥは、送られるパラメータに従って再グループ化されたＳＡＥ−ＴＭＳＩに従ってＵＥを探し出し、応答を返す。
【００５６】
ＳＡＥ−ＴＭＳＩの長さは、Ｐ−ＴＭＳＩシグネチャを使用することにより、８０ビットに達し得る。（ＭＭＥを問い合わせるのに使用されるＭＭＥＩＤ、プールＩＤ、ＴＡＩ情報といった情報は、Ｐ−ＴＭＳＩシグネチャに配置することができないことに留意されたい。）
【００５７】
前述の各実施形態では、ＵＥが進化型ネットワークから旧式ネットワークに移動するとき、旧式ネットワークに送られるアクセスメッセージにＭＭＥを一意に識別するＭＭＥ情報が追加される。したがって、旧式ネットワークは、旧式ネットワーク上のＲＮＣおよびＳＧＳＮを変更せずに、進化型ネットワークにおいてＵＥによってアクセスされたＭＭＥを特定し、探し出すことができる。特に、組み合わせＭＭＥ／ＳＧＳＮが存在するとき、組み合わせノードにおけるＭＭＥのＭＭＥＩＤをＳＧＳＮのＮＲＩと同じになるように設定することによって、不要なモード再選択を効率よく回避することができる。（また、構成方法を使用することもでき、したがって、ＭＭＥＩＤはＮＲＩと異なる場合もある。）
【００５８】
図１３に、本発明の一実施形態におけるＵＥ１００の構造を示す。ＵＥ１００は、アクセスメッセージ送信モジュール１１０と、ＭＭＥ情報追加モジュール１２０とを含む。アクセスメッセージ送信モジュール１１０は、ＵＥ１００が進化型ネットワークから旧式ネットワークに移動するときに、旧式ネットワークにアクセスメッセージを送るように適合されている。ＭＭＥ情報追加モジュール１２０は、アクセスメッセージ送信モジュール１１０によって送られるアクセスメッセージに、進化型ネットワーク上でＵＥ１００によってアクセスされたＭＭＥを一意に識別するＭＭＥ情報を追加するように適合されている。
【００５９】
ＭＭＥ情報追加モジュール１２０は、ＳＡＥ−ＴＭＳＩ内のＭＭＥＩＤをアクセスメッセージのＰ−ＴＭＳＩ情報に追加するように適合されているＰ−ＴＭＳＩ情報追加サブモジュール１２１を含む。
【００６０】
ＭＭＥ情報追加モジュール１２０は、プールＩＤ、およびＳＡＥ−ＴＭＳＩ内のＰＬＭＮＩＤまたはＴＡＩまたはＰＬＭＮをアクセスメッセージのＲＡＩ情報に追加するように適合されているＲＡＩ情報追加サブモジュール１２２を含む。
【００６１】
ＭＭＥ情報追加モジュール１２０はさらに、アクセスメッセージのＰ−ＴＭＳＩ情報内のＮＲＩ情報をＭＭＥＩＤとして設定して、組み合わせＭＭＥ／ＳＧＳＮが存在するときの不要なノード再選択を回避するように適合されているＮＲＩ設定サブモジュール１２３を含む。
【００６２】
ＵＥ１００はさらに、ＭＭＥ情報を除くＳＡＥ−ＴＭＳＩ内の他の情報をＰ−ＴＭＳＩシグネチャに追加するように適合されているＰ−ＴＭＳＩシグネチャ追加モジュール１３０を含む。
【００６３】
加えて、前述の各実施形態で提供される方法に対応して、以下の場合が存在する。すなわち、ＵＥのＳＡＥ−ＴＭＳＩは、ＭＣＣ、ＭＮＣ、プールＩＤ、ＭＭＥＩＤ、およびＭ−ＴＭＳＩ（残りのＳＡＥ−ＴＭＳＩビット）からなる。グローバルＭＭＥＩＤが、ＭＣＣ＋ＭＮＣ＋プールＩＤ＋ＭＭＥＩＤで構成される。ＳＡＥ−ＴＭＳＩは、ＵＥをグローバルに、一意に識別することができる。
【００６４】
ＵＭＴＳＰＳドメインまたはＧＰＲＳシステムにおいて、ＵＥの一時ＩＤはＰ−ＴＭＳＩである。Ｐ−ＴＭＳＩはＲＡにおいてＵＥを一意に識別する。Ｐ−ＴＭＳＩおよびＲＡＩは、ＵＥをグローバルに、一意に識別することができる。
【００６５】
加えて、２Ｇ／３ＧネットワークおよびＳＡＥネットワークが展開されているときには、以下のシナリオも存在し得る。すなわち、独立型ＳＧＳＮおよび独立型ＭＭＥが存在し、組み合わせＭＭＥ／ＳＧＳＮも存在する。ＵＥが独立型ＳＧＳＮにアクセスするとき、Ｐ−ＴＭＳＩおよびＲＡＩがＵＥに割り振られ、Ｐ−ＴＭＳＩシグネチャもＵＥに割り振られる場合がある。以下のＲＡＩとＰ−ＴＭＳＩの組み合わせはＰ−ＴＭＳＩシグネチャを含む。ＵＥが独立型ＭＭＥにアクセスするとき、ＳＡＥ−ＴＭＳＩがＵＥに割り振られる。ＵＥが組み合わせＭＭＥ／ＳＧＳＮにアクセスするとき、組み合わせノードは、ＳＡＥ−ＴＭＳＩまたはＲＡＩ／Ｐ−ＴＭＳＩ組み合わせをＵＥに割り振ることができる。ＳＡＥ−ＴＭＳＩとＲＡＩ／Ｐ−ＴＭＳＩは相互にマップされ得る。例えば、ＳＡＥ−ＴＭＳＩ内のＭＣＣ＋ＭＮＣ＋プールＩＤ＋ＭＭＥＩＤとＲＡＩが相互にマップされてもよく、ＳＡＥ−ＴＭＳＩ内のＭ−ＴＭＳＩとＰ−ＴＭＳＩが相互にマップされてもよく、他の任意のマッピング法が使用されてもよい（いくつかのビットがＰ−ＴＭＳＩシグネチャにマップされる）。ＵＥが２Ｇ／３Ｇネットワークにアクセスする場合、ＲＡＩおよびＰ−ＴＭＳＩがＵＥに割り振られる。ＵＥがＬＴＥネットワークにアクセスする場合、組み合わせノードがＳＡＥ−ＴＭＳＩをＵＥに割り振る。よって、ＵＥがＳＡＥネットワークにアクセスするとき、ＵＥは（利用できる場合には）アクセスのためにＳＡＥ−ＴＭＳＩを使用する。ＥＮＢは、ＲＲＣメッセージ内のＭＭＥＩＤ情報によって旧ＭＭＥを探し出し、または（ＭＭＥＩＤに対応するＭＭＥが存在しない場合には）新しいＭＭＥを選択する。新ＭＭＥがアクセスされる場合、新ＭＭＥはＳＡＥ−ＴＭＳＩに従って旧ＭＭＥおよびＵＥコンテキストを探し出して、ＵＥのコンテキストを獲得することができる。ＵＥがＲＡＩ／Ｐ−ＴＭＳＩだけを有し、ＳＡＥネットワークにアクセスする場合、ＲＡＩ／Ｐ−ＴＭＳＩはアクセスのためにＳＡＥ−ＴＭＳＩにマップされる。すなわち、ＵＥがＳＡＥネットワークにアクセスするとき、ネットワークは、ＵＥによって搬送されるＩＤがＳＡＥ−ＴＭＳＩであるとみなし、このＳＡＥ−ＴＭＳＩは、ＵＥによって実際に搬送されるＳＡＥ−ＴＭＳＩと同じである。具体的には、ＵＥは、ＲＲＣ接続完了メッセージでマップされたＳＡＥ−ＴＭＳＩを搬送する。ＥＮＢは、マップされたＭＭＥＩＤに従って（組み合わせノードといった）旧ＭＭＥを探し出し、または新しいＭＭＥを選択する。新ＭＭＥは、マップされたＳＡＥ−ＴＭＳＩに従って旧ＳＧＳＮおよびＵＥコンテキストを探し出して、ＵＥのコンテキストを獲得する。ＵＥが２Ｇ／３Ｇネットワークにアクセスするとき、ＵＥはアクセスのためにＰ−ＴＭＳＩおよび（利用できる場合には）ＲＡＩを使用する。ＲＮＣは、ＲＲＣメッセージのＰ−ＴＭＳＩ情報内のＮＲＩに従って旧ＳＧＳＮを探し出し、または（ＮＲＩに対応するＳＧＳＮが存在しない場合には）新しいＳＧＳＮを選択する。ＵＥがＳＡＥ−ＴＭＳＩだけを有し、２Ｇ／３Ｇネットワークにアクセスする場合、ＵＥは、ＳＡＥ−ＴＭＳＩをＲＡＩ／Ｐ−ＴＭＳＩにマップすることによってネットワークにアクセスする。前述のマッピング法は、旧ＳＧＳＮ（組み合わせノード）または新ＳＧＳＮにアクセスするのに使用され得る。新ＳＧＳＮは、マップされたＲＡＩ／Ｐ−ＴＭＳＩに従って旧ＭＭＥおよびＵＥを探し出して、ＵＥのコンテキストを獲得する。
【００６６】
前述の方法では、組み合わせノードは、ＩＳＲ（Ｉｄｌｅ  ｍｏｄｅ  Ｓｉｇｎａｌｉｎｇ  Ｒｅｄｕｃｔｉｏｎ、アイドル・モード・シグナリング軽減）機能が使用可能とされるときに限り、２つのＩＤ（ＳＡＥ−ＴＭＳＩとＲＡＩ／Ｐ−ＴＭＳＩ組み合わせ）をＵＥに割り振ることができる。よって、ＵＥは、特別なシグナリングまたは特別なパラメータではなく、受け取られるＩＤが１つであるかそれとも２つであるかによって、ＩＳＲ機能が利用可能にされているかどうかを知ることができる。
【００６７】
さらに、別の解決法もある。ＵＥが独立型ＳＧＳＮにアクセスするときには、Ｐ−ＴＭＳＩおよびＲＡＩが割り振られる。ＵＥが独立型ＭＭＥにアクセスするときには、ＳＡＥ−ＴＭＳＩが割り振られる。ＵＥが組み合わせＭＭＥ／ＳＧＳＮにアクセスするときには、組み合わせノードは、相互にマップすることのできないＳＡＥ−ＴＭＳＩとＲＡＩ／Ｐ−ＴＭＳＩ組み合わせをＵＥに割り振る。問題は以下のとおりである。ＵＥが１つのＲＡＴだけをサポートしているとき、例えば、ＵＥが旧式ネットワークに属し、２Ｇ／３Ｇアクセス技術だけをサポートしているときに、サポートされていないＲＡＴのＩＤがＵＥに割り振られると、ＵＥは、このＩＤを使用することができず、またはＩＤを保存することさえもできない。したがって、ＵＥは、ネットワークにアクセスするときに、ＵＥによってサポートされているＲＡＴ機能を搬送する必要がある。組み合わせノードが、ＵＥによってサポートされているＲＡＴ機能を獲得する。例えば、組み合わせノードは、どのようにしてＩＤを割り振るべきか決定するために、ＵＥまたはＵＥのコンテキストからＲＡＴ機能を獲得する。例えば、組み合わせノードは、２Ｇ／３Ｇアクセス技術だけをサポートしているＵＥにはＲＡＩ／Ｐ−ＴＭＳＩ組み合わせを割り振り、ＬＴＥアクセス技術だけをサポートしているＵＥにはＳＡＥ−ＴＭＳＩを割り振り、２Ｇ／３Ｇアクセス技術およびＬＴＥアクセス技術をサポートしているＵＥには、ＳＡＥ−ＴＭＳＩおよびＲＡＩ／Ｐ−ＴＭＳＩ組み合わせを割り振る。
【００６８】
前述の説明によれば、ＵＥがＳＡＥ−ＴＭＳＩによってＭＭＥにアクセスするとき、本発明の目的は、少なくとも、ＲＲＣメッセージ内のＰ−ＴＭＳＩ情報のＮＲＩをＭＭＥＩＤとして設定するステップと、他の情報が、ＮＡＳメッセージの旧ＲＡＩ、および／またはＰ−ＴＭＳＩ、および／またはＰ−ＴＭＳＩシグネチャを使用するように、ＭＭＥアドレス情報を、ＮＡＳメッセージの旧ＲＡＩおよび／またはＰ−ＴＭＳＩに設定するステップとによって達成され得る。各設定は、順次の設定でなくてもよく、独自の設定でなくてもよいことに留意すべきである。例えば、プールＩＤのいくつかのビットを旧ＲＡＩに設定することができ、プールＩＤのいくつかのビットをＰ−ＴＭＳＩに設定することができる。加えて、ＭＭＥＩＤは、旧ＲＡＩとＮＲＩの両方に設定されてもよく、２つの位置における情報は同じであっても重複していてもよい。
【００６９】
本発明の前述の各実施形態では、旧式ネットワークに送られるアクセスメッセージにＭＭＥを一意に識別するためのＭＭＥ情報が追加されると、旧式ネットワークは、旧式ネットワーク上のＲＮＣおよびＳＧＳＮを変更せずに、進化型ネットワークにおいてＵＥによってアクセスされたＭＭＥを特定し、探し出すことができる。ＭＭＥやＳＧＳＮといったＵＥと通信する各ネットワークノードは、ネットワークとして説明され得る。
【００７０】
また、本発明の一実施形態は、ＵＥが２ＧネットワークにアクセスするときにＴＬＬＩ（Ｔｅｍｐｏｒａｒｙ  Ｌｏｇｉｃａｌ  Ｌｉｎｋ  Ｉｄｅｎｔｉｔｙ、一時論理リンク識別情報）を提供する方法も提案する。ネットワークはＵＥによって送られたアクセスメッセージを受け取る。アクセスメッセージは、２つのＴＬＬＩ、すなわち、第１のＴＬＬＩと第２のＴＬＬＩを含む。第１のＴＬＬＩ情報が、ＵＥによって最後にアクセスされたネットワークのＲＡＴのＴＭＳＩ情報（最終アクセスに用いられたＲＡＴが２Ｇ／３Ｇに用いられている場合、ＴＬＬＩはＰ−ＴＭＳＩの最初の２ビットを除去することによって形成され、最終アクセスに用いられたＲＡＴがＳＡＥに用いられている場合、ＴＬＬＩはＭ−ＴＭＳＩの最初の２ビットを除去することによって形成される）を搬送するとき、このＲＡＴを第１のＲＡＴという。第２のＴＬＬＩ情報が、ＵＥによって現在アクセスされているネットワークのＲＡＴのＴＭＳＩ情報（現在のアクセスによって用いられているＲＡＴが２Ｇ／３Ｇである場合、ＴＬＬＩはＰ−ＴＭＳＩの最初の２ビットを除去することによって形成され、現在のアクセスによって用いられているＲＡＴがＳＡＥである場合、ＴＬＬＩはＭ−ＴＭＳＩの最初の２ビットを除去することによって形成される）を搬送するとき、このＲＡＴを第２のＲＡＴという。２つのＲＡＴが同じである場合、ＵＥは１つのＴＬＬＩの情報のみを搬送する。最後のアクセスに用いられたＲＡＴがＳＡＥである場合には、ＵＥによって送られるＮＡＳメッセージ内の旧ＲＡＩは、Ｍ−ＴＭＳＩを除くＳＡＥ−ＴＭＳＩの他の情報によってもマップされる必要がある。加えて、ＵＥによって送られるＮＡＳメッセージは、さらに、ＲＡＴの旧ＲＡＩまたはＭ−ＴＭＳＩを除くＳＡＥ−ＴＭＳＩの残りの情報を搬送する。２つのＲＡＴが同じであるとき、ＵＥによって送られるＮＡＳメッセージは、ＲＡＴの旧ＲＡＩまたはＭ−ＴＭＳＩを除くＳＡＥ−ＴＭＳＩの残りの情報を搬送しなくてもよい。
【００７１】
例えば、ＵＥが進化型ネットワークのＭＭＥから２Ｇネットワークに移動するとき、第１のＴＬＬＩは、Ｍ−ＴＭＳＩの最初の２ビットを除去することによって形成され、通常のＴＬＬＩ位置に配置され、第２のＴＬＬＩは、２Ｇネットワーク上のＰ−ＴＭＳＩの最初の２ビットを除去することによって形成され、新しい位置に配置される（用法はリリース７での用法と異なる）。ＵＥによって送られるＮＡＳメッセージで搬送されるＭ−ＴＭＳＩを除くＳＡＥ−ＴＭＳＩの他の情報は、通常の旧ＲＡＩ位置にマップされ、ＮＡＳメッセージで搬送される２Ｇネットワークの旧ＲＡＩ情報は新しい位置に配置される。
【００７２】
ＵＥが２Ｇネットワークから別の２Ｇネットワークに移動するとき、またはＵＥの最新のコンテキストが２Ｇネットワーク上のものであるとき、第１のＴＬＬＩは、Ｐ−ＴＭＳＩの最初の２ビットを除去することによって形成され、通常のＴＬＬＩ位置に配置され、第２のＴＬＬＩは、Ｐ−ＴＭＳＩの最初の２ビットを除去することによって形成され、新しい位置に配置される（用法はリリース７での用法と異なる）。また、ＵＥは１つのＴＬＬＩだけを搬送してもよい。
【００７３】
ＲＡＮノードが（リリース８といった）新しいバージョンの２ＧＣＮに接続されている場合、ＲＡＮノードは、第２のＴＬＬＩを使用してＣＮノードを選択し得る。１つのＴＬＬＩしか利用できない場合、ＲＡＮノードはＴＬＬＩに従ってＣＮノードを選択する。ＲＡＮノードが（リリース７またはそれ以前のバージョンといった）旧いバージョンの２ＧＣＮに接続されている場合、ＲＡＮノードは、第１のＴＬＬＩに従ってＣＮノードを選択する。
【００７４】
以下に詳細を示す。
【００７５】
ＵＥが３ＧＰＰ  Ｒ８より旧いネットワーク（Ｐｒｅ−Ｒ８）のＳＧＳＮにアクセスするとき、ＵＥは、ＴＬＬＩで、最後のアクセスに用いられたＲＡＴに割り振られたＩＤを搬送する必要がある。例えば、ＵＥによって最後にアクセスされる２Ｇ／３ＧネットワークのＲＡＴに割り振られるＩＤはＰ−ＴＭＳＩである。ＵＥがＰｒｅ−Ｒ８のＳＧＳＮにアクセスするとき、ＵＥはＰ−ＴＭＳＩの最初の２ビットを除去し、そのＰ−ＴＭＳＩをＴＬＬＩに配置する。受け取ったＴＬＬＩに従って、ＳＧＳＮはＮＡＳのＰ−ＴＭＳＩを生成する。例えば、ＳＧＳＮは、その値が１である２ビットをＴＬＬＩの前に追加する。
【００７６】
ＵＥが最後にアクセスしたＭＭＥが進化型ネットワーク上のものである場合、ＵＥは、ＭＭＥによってＵＥに割り振られるＳＡＥ−ＴＭＳＩ内のＭ−ＴＭＳＩの最初の２ビットを除去する必要があり、そのＭ−ＴＭＳＩをＴＬＬＩに配置し、ＳＡＥ−ＴＭＳＩ内の他のビットを旧ＲＡＩに配置する。
【００７７】
ＵＥが２Ｇネットワークにアクセスするとき、ＵＥが２つのＴＭＳＩを有する場合には、ＵＥは２つのＴＬＬＩの情報を提供する。第１のＴＬＬＩは、ＵＥが最後にネットワークにアクセスするときに使用したＴＭＳＩ情報といった、ＵＥの最新のＴＭＳＩ情報を搬送する。第２のＴＬＬＩは、ＵＥが現在ネットワークにアクセスしているときのＲＡＴと同じＲＡＴをサポートするＴＭＳＩ情報を搬送する。ＵＥは、２つのＴＭＳＩが同じであると判明した場合、１つのＴＭＳＩの情報だけを提供する。ＲＡＮノードが、３ＧＰＰ  Ｒ８のＳＧＳＮといった新しいシステムに接続されているとき、アクセスノードは、ＵＥが現在ネットワークにアクセスしているときのＲＡＴと同じＲＡＴをサポートするＴＭＳＩ情報を搬送する第２のＴＬＬＩだけに従ってＣＮノードを選択する。１つのＴＬＬＩしか利用できない場合、アクセスノードは、そのＴＬＬＩに従ってＣＮノードを選択する。ＲＡＮノードが、Ｐｒｅ−Ｒ８のＳＧＳＮといった旧システムに接続されている場合、ＲＡＮノードは、第１のＴＬＬＩに従ってＣＮノードを選択する。この実施形態では、ＲＡＮノードは、接続されたＣＮノードの機能に従って適正なＣＮノードを選択することができる。よって、旧ＣＮノードは、アップグレードされずに、最新のコンテキスト情報を獲得することができる。
【００７８】
以上の説明により、当業者には、本発明の各実施形態が、ソフトウェアと必要な汎用ハードウェアプラットフォームによっても、ハードウェアのみよっても実施され得ることが理解できる。しかし、ほとんどの場合、ソフトウェアと汎用ハードウェアプラットフォームが好ましい。このような理解に基づき、本発明の技術的解決法または従来技術への貢献をソフトウェア製品によって実現することができる。ソフトウェア製品は、記憶媒体に記憶され、パーソナルコンピュータ、サーバ、ネットワーク機器などのコンピュータ機器に、本発明の各実施形態によって提供される方法を実行するよう命ずるいくつかの命令を組み込むものである。
【００７９】
以上、本発明を好ましい実施形態によって説明してきたが、本発明はこのような実施形態だけに限定されるものではない。当業者が、本発明の精神および範囲を逸脱することなく、本発明の様々な改変および変形を行い得ることは明らかである。本発明は、それらの改変および変形が、添付の特許請求の範囲によって定義される保護範囲およびその均等物に該当するのであれば、それらの改変および変形を包含するものである。
本出願は、参照によりその全文が本明細書に組み込まれる、２００７年１１月１日に中国特許庁に出願された、「Ｍｅｔｈｏｄ  ａｎｄ  Ａｐｐａｒａｔｕｓ  ｆｏｒ  Ａｃｃｅｓｓｉｎｇ  Ｏｌｄ  Ｎｅｔｗｏｒｋ  Ｔｈｒｏｕｇｈ  Ｔｅｍｐｏｒａｒｙ  ＩＤ  ｏｆ  Ｅｖｏｌｖｅｄ  Ｎｅｔｗｏｒｋ」という名称の中国特許出願第２００７１０１６６０６６．８号と、２００８年４月１１日に中国特許庁に出願された、「Ｍｅｔｈｏｄ  ａｎｄ  Ａｐｐａｒａｔｕｓ  ｆｏｒ  Ａｃｃｅｓｓｉｎｇ  Ｏｌｄ  Ｎｅｔｗｏｒｋ  Ｔｈｒｏｕｇｈ  Ｔｅｍｐｏｒａｒｙ  ＩＤ  ｏｆ  Ｅｖｏｌｖｅｄ  Ｎｅｔｗｏｒｋ」という名称の中国特許出願第２００８１００９１４３３．７号の優先権を主張するものである。
【図１】
2010537523.tif 000003
【図２】
2010537523.tif 000004
【図３】
2010537523.tif 000005
【図４】
2010537523.tif 000006
【図５】
2010537523.tif 000007
【図６Ａ】
2010537523.tif 000008
【図６Ｂ】
2010537523.tif 000009
【図７】
2010537523.tif 000010
【図８】
2010537523.tif 000011
【図９】
2010537523.tif 000012
【図１０】
2010537523.tif 000013
【図１１】
2010537523.tif 000014
【図１２】
2010537523.tif 000015
【図１３】
2010537523.tif 000016
【手続補正書】
【提出日】平成22年2月18日(2010.2.18)
【手続補正１】
【補正対象書類名】明細書
【補正対象項目名】００１３
【補正方法】変更
【補正の内容】
【００１３】
新しく選択されるＳＧＳＮが、ＳＡＥネットワーク上の旧ＭＭＥを探し出すことができないために、ＵＥのコンテキストを獲得することができないという従来技術の技術的欠陥を是正するために、進化型ネットワークの一時ＩＤによって旧式ネットワークにアクセスする方法および装置を提供する。
【手続補正２】
【補正対象書類名】明細書
【補正対象項目名】００１４
【補正方法】変更
【補正の内容】
【００１４】
本発明の第１の態様は、進化型ネットワークの一時ＩＤによって旧式ネットワークにアクセスする方法を提供する。この方法は、
ＵＥが、アクセスメッセージに、進化型ネットワーク上でＵＥによってアクセスされたＭＭＥを一意に識別するＭＭＥ情報を追加し、
ＵＥが進化型ネットワークの一時ＩＤによって旧式ネットワークにアクセスするときに、旧式ネットワークにアクセスメッセージを送り、
旧式ネットワークが、アクセスメッセージに従ってＵＥのために対応するＳＧＳＮを選択する、
ことを含む。
【手続補正３】
【補正対象書類名】明細書
【補正対象項目名】００１５
【補正方法】変更
【補正の内容】
【００１５】
本発明の第２の態様は、さらに、アクセスメッセージ送信モジュールとＭＭＥ情報追加モジュールとを含むＵＥを提供する。
【手続補正４】
【補正対象書類名】明細書
【補正対象項目名】００１８
【補正方法】変更
【補正の内容】
【００１８】
本発明の第３の態様は、さらに、進化型ネットワークの一時ＩＤによって旧式ネットワークにアクセスする方法を提供する。この方法は、
旧式ネットワークが、進化型ネットワークの一時ＩＤによって旧式ネットワークにアクセスするＵＥによって送られた、進化型ネットワーク内でＵＥによってアクセスされたＭＭＥを一意に識別するＭＭＥ情報を含むアクセスメッセージを受け取り、
旧式ネットワークが、アクセスメッセージに従ってＵＥのために対応するＳＧＳＮを選択する、
ことを含む。
【手続補正５】
【補正対象書類名】明細書
【補正対象項目名】００１９
【補正方法】変更
【補正の内容】
【００１９】
本発明における技術的解決法には以下の利点がある。すなわち、ＵＥが進化型ネットワークから旧式ネットワークに移動するとき、旧式ネットワークに送られるアクセスメッセージにＭＭＥを一意に識別するＭＭＥ情報が追加される。したがって、旧式ネットワークは、旧式ネットワーク上のＲＮＣおよびＳＧＳＮを変更せずに、進化型ネットワーク内でＵＥによってアクセスされるＭＭＥを決定し、探索することができる。
【手続補正６】
【補正対象書類名】明細書
【補正対象項目名】００７９
【補正方法】変更
【補正の内容】
【００７９】
以上、本発明を好ましい実施形態によって説明してきたが、本発明はこのような実施形態だけに限定されるものではない。当業者が、本発明の精神および範囲を逸脱することなく、本発明の様々な改変および変形を行い得ることは明らかである。本発明は、それらの改変および変形が、添付の特許請求の範囲によって定義される保護範囲およびその均等物に該当するのであれば、それらの改変および変形を包含するものである。
【手続補正７】
【補正対象書類名】特許請求の範囲
【補正対象項目名】全文
【補正方法】変更
【補正の内容】
【特許請求の範囲】
【請求項１】
進化型ネットワークの一時ＩＤによって旧式ネットワークにアクセスする方法であって、
ＵＥ（Ｕｓｅｒ  Ｅｑｕｉｐｍｅｎｔ、ユーザ側装置）が、アクセスメッセージに、進化型ネットワーク上で前記ＵＥによってアクセスされたＭＭＥ（Ｍｏｂｉｌｉｔｙ  Ｍａｎａｇｅｍｅｎｔ  Ｅｎｔｉｔｙ、モビリティ管理エンティティ）を一意に識別するＭＭＥ情報を追加し、
前記ＵＥが前記進化型ネットワークの一時ＩＤによって旧式ネットワークにアクセスするときに、前記旧式ネットワークに前記アクセスメッセージを送り、該アクセスメッセージは、前記旧式ネットワークが、前記ＵＥのために対応するＳＧＳＮ（Ｓｅｒｖｉｎｇ  ＧＰＲＳ  Ｓｕｐｐｏｒｔ  Ｎｏｄｅ、サービングＧＰＲＳサポートノード）を選択するために使用される、
ことを含む方法。
【請求項２】
前記旧式ネットワークが対応するＳＧＳＮ（Ｓｅｒｖｉｎｇ  ＧＰＲＳ  Ｓｕｐｐｏｒｔ  Ｎｏｄｅ）を選択した後に、
前記ＳＧＳＮが前記ＵＥによって登録されたノードでない場合、前記ＳＧＳＮが、前記アクセスメッセージに追加された前記ＭＭＥ情報に従って前記ＭＭＥを決定し、
前記ＭＭＥに前記ＵＥの情報を要求する、
ことをさらに含む請求項１に記載の方法。
【請求項３】
前記ＭＭＥ情報はＳＡＥ−ＴＭＳＩ内のＭＭＥＩＤを含み、
前記ＵＥが旧式ネットワークに送られるアクセスメッセージにＭＭＥ情報を追加することは、前記ＭＭＥＩＤを、前記アクセスメッセージのＰ−ＴＭＳＩ情報および前記アクセスメッセージのＲＡＩ情報のうちの少なくとも一つに追加することを含む請求項１に記載の方法。
【請求項４】
前記ＭＭＥＩＤをアクセスメッセージのＰ−ＴＭＳＩ情報に追加することは、前記アクセスメッセージで搬送される前記Ｐ−ＴＭＳＩ情報内のＮＲＩ情報を前記ＭＭＥＩＤとして設定することを含む請求項３に記載の方法。
【請求項５】
前記ＭＭＥ情報は、ＰＬＭＮＩＤ、プールＩＤおよびＳＡＥ−ＴＭＳＩ内のＭＭＥＩＤを含み、
前記ＵＥが、旧式ネットワークに送られるアクセスメッセージに、進化型ネットワーク上で前記ＵＥによってアクセスされたＭＭＥ（Ｍｏｂｉｌｉｔｙ  Ｍａｎａｇｅｍｅｎｔ  Ｅｎｔｉｔｙ）を一意に識別するＭＭＥ情報を追加することは、Ｐ−ＴＭＳＩ情報およびＲＡＩ情報のうちの少なくとも一つに、ＰＬＭＮＩＤ、プールＩＤおよびＭＭＥＩＤを追加することを含む請求項１に記載の方法。
【請求項６】
前記Ｐ−ＴＭＳＩ情報およびＲＡＩ情報のうちの少なくとも一つに、ＰＬＭＮＩＤ、プールＩＤおよびＭＭＥＩＤを追加することは、
前記Ｐ−ＴＭＳＩ情報のＮＲＩ情報をＭＭＥＩＤとして設定し、
前記ＰＬＭＮＩＤを前記ＲＡＩ情報に追加し、
前記プールＩＤを前記ＲＡＩ情報および前記Ｐ−ＴＭＳＩ情報のうちの少なくとも一つに追加する、
ことを含む請求項５に記載の方法。
【請求項７】
組み合わせＭＭＥ／ＳＧＳＮのＮＲＩ情報を前記ＭＭＥＩＤと同じに設定し、
前記ＵＥが前記旧式ネットワークと同じプール内の前記進化型ネットワークから前記旧式ネットワークに入るときに、前記旧式ネットワークが前記ＵＥのために前記組み合わせＭＭＥ／ＳＧＳＮを選択する、
ことをさらに含む請求項４に記載の方法。
【請求項８】
ＳＡＥ−ＴＭＳＩのＭＭＥ情報以外の該ＳＡＥ−ＴＭＳＩの情報をＰ−ＴＭＳＩのシグネチャに追加することをさらに含む請求項３〜６のいずれか１項に記載の方法。
【請求項９】
前記ＳＧＳＮが、前記ＭＭＥ情報に従って前記ＭＭＥを決定することは、
前記ＳＧＳＮの構成情報またはＤＮＳを更新し、
前記ＳＧＳＮが、前記ＭＭＥ情報に従って、前記構成情報または前記ＤＮＳにおいて前記ＭＭＥを探し出す、
ことを含む請求項２に記載の方法。
【請求項１０】
前記アクセスメッセージは無線リソース制御メッセージ（ＲＲＣメッセージ）を含み、
前記ＭＭＥ情報はＭＭＥＩＤを含み、
前記ＵＥ（Ｕｓｅｒ  Ｅｑｕｉｐｍｅｎｔ）が、旧式ネットワークに送られるアクセスメッセージに、進化型ネットワーク上で前記ＵＥによってアクセスされたＭＭＥ（Ｍｏｂｉｌｉｔｙ  Ｍａｎａｇｅｍｅｎｔ  Ｅｎｔｉｔｙ）を一意に識別するＭＭＥ（Ｍｏｂｉｌｉｔｙ  Ｍａｎａｇｅｍｅｎｔ  Ｅｎｔｉｔｙ）情報を追加することは、
前記ＭＭＥＩＤを、ＲＲＣメッセージで搬送されるＰ−ＴＭＳＩ情報内のＮＲＩ情報に追加することを含む請求項１に記載の方法。
【請求項１１】
前記ＭＭＥ情報を、前記ＲＲＣメッセージ内のＮＡＳ情報の前記Ｐ−ＴＭＳＩおよびＲＡＩのうちの少なくとも一つに追加し、
前記ＭＭＥ情報以外のＳＡＥ−ＴＭＳＩの情報を、前記ＮＡＳ情報の前記Ｐ−ＴＭＳＩ、前記ＲＡＩまたはＰ−ＴＭＳＩシグネチャにマップする、
ことをさらに含む請求項１０に記載の方法。
【請求項１２】
アクセスメッセージ送信モジュールとＭＭＥ情報追加モジュールとを備えるＵＥ（Ｕｓｅｒ  Ｅｑｕｉｐｍｅｎｔ）であって、
前記アクセスメッセージ送信モジュールは、前記ＵＥが進化型ネットワークにアクセスするときに、旧式ネットワークにアクセスメッセージを送るように適合されており、
前記ＭＭＥ情報追加モジュールは、前記アクセスメッセージ送信モジュールによって送られる前記アクセスメッセージにＭＭＥ情報を追加するように適合されており、
前記ＭＭＥ情報は、前記進化型ネットワークにおいて前記ＵＥによってアクセスされたＭＭＥを識別するのに使用される、
ＵＥ。
【請求項１３】
前記ＭＭＥ情報追加モジュールは、前記アクセスメッセージのＰ−ＴＭＳＩ情報に、ＳＡＥ−ＴＭＳＩ内のＭＭＥＩＤを追加するように適合されたＰ−ＴＭＳＩ情報追加サブモジュールを備えるか、または、ＳＡＥ−ＴＭＳＩ内のプールＩＤ、ＰＬＭＮＩＤまたはＴＡＩを追加するように適合されたＲＡＩ情報追加サブモジュールを備える請求項１２に記載のＵＥ。
【請求項１４】
ＵＥが旧式ネットワークにアクセスすることを可能にする方法であって、
前記旧式ネットワークが、進化型ネットワークの一時ＩＤによって前記旧式ネットワークにアクセスするＵＥによって送られた、前記進化型ネットワークにおいて前記ＵＥによってアクセスされたＭＭＥ（Ｍｏｂｉｌｉｔｙ  Ｍａｎａｇｅｍｅｎｔ  Ｅｎｔｉｔｙ）を一意に識別するＭＭＥ情報を含むアクセスメッセージを受け取り、
前記旧式ネットワークが、前記アクセスメッセージに従って前記ＵＥのために対応するＳＧＳＮを選択する、
ことを含む方法。
【請求項１５】
前記ＭＭＥ情報は、プールＩＤ、ＰＬＭＮＩＤのＭＭＥＩＤおよびＳ−ＴＭＳＩを含み、
前記ＰＬＭＮＩＤ、前記プールＩＤ、および前記ＭＭＥＩＤは、Ｐ−ＴＭＳＩ情報およびＲＡＩ情報のうちの少なくとも一つに含まれる請求項１４に記載の方法。
【国際調査報告】
2010537523.tif 000017
2010537523.tif 000018
2010537523.tif 000019
2010537523.tif 000020